(57)【特許請求の範囲】
【請求項１】
電子的に画像の閲覧のための処理、及び画像印刷の注文に対応する処理を行なう画像管理方法において、
読取り装置が、画像所有者の撮像機能付き通信端末から画像データと上記撮像機能付き通信端末の識別データとを読取る読取りステップと、
蓄積装置が、上記読取り装置で読み取られた画像データを上記識別データと関連付けて蓄積するステップと、
処理装置が、上記蓄積装置に蓄積された上記画像データと上記撮像機能付き通信端末の識別データとに基づいて電子的画像アルバムを作成する画像アルバム作成ステップと、
サーバ装置が、上記処理装置で作成された電子的画像アルバムを保存するステップと、
上記サーバ装置が、利用者の通信端末からインターネットを介して送信される画像の閲覧要求を受信し、閲覧要求のあった画像を上記通信端末にインターネットを介して送信する閲覧画像送信ステップと、
上記サーバ装置が、上記利用者の通信端末から画像の印刷の注文のためにインターネットを介して送信される注文データを受信する受注ステップと、
印刷装置が、上記利用者の通信端末からの上記注文データが上記サーバ装置で受信されたときに、画像の印刷を行なう印刷ステップとを備え、
上記閲覧画面送信ステップにおいて、上記サーバ装置が、上記閲覧要求を受信したとき、上記通信端末から上記閲覧要求ともに送信された識別データに基づいて上記閲覧についての当該通信端末の利用権の確認を行った上で上記通信端末に対して画像を送信し、
上記閲覧画面送信ステップにおいて、上記サーバ装置が、上記閲覧要求を受信したとき、上記通信端末から上記閲覧要求とともに送信された識別データに基づいて、上記印刷の注文についての当該通信端末の利用権を確認したときは、画像とともに、印刷の注文を可能にするデータを上記通信端末に対して送信し、
上記サーバ装置が上記注文データを受信したとき、上記サーバ装置が上記印刷装置に該注文データを送信するステップをさらに有し、
上記利用権の確認に用いられる通信端末の識別データが、上記画像データとともに読取られた識別データ又は上記画像データとともに読取られた識別データで特定される撮像機能付き通信端末で利用権を設定された通信端末の識別データである
ことを特徴とする画像管理方法。
【請求項２】
上記閲覧画像送信ステップにおいて、上記サーバ装置が、上記利用権確認ステップで確認した利用権の内容により、利用者が利用権を有する画像のみを上記利用者の通信端末に送信してその表示部に表示させることを特徴とする請求項１に記載の画像管理方法。
【請求項３】
上記閲覧画像送信ステップにおいて、上記サーバ装置が、上記利用権確認ステップで確認した利用権の内容により、利用者が利用権を有する画像についてのみ、印刷注文を受付けることができる画面を上記利用者の通信端末に送信してその表示部に表示させることを特徴とする請求項１に記載の画像管理方法。
【請求項４】
上記閲覧画像送信ステップにおける、上記サーバ装置による上記利用権の確認が、通信端末から送信された通信端末識別データと、予め記憶されている、設定された利用権を表わす情報とを参照して行なわれることを特徴とする請求項１に記載の画像管理方法。
【請求項５】
上記サーバ装置が上記利用権を上記画像アルバムの所有者の撮像機能付き通信端末において設定する利用権設定ステップをさらに有することを特徴とする請求項１に記載の画像管理方法。
【請求項６】
上記利用権設定ステップにおいて、上記サーバ装置が上記閲覧や印刷に関する利用権を、画像アルバム毎に或いは画像毎に設定するための画面を上記画像所有者の撮像機能付き通信端末の表示部に表示させることを特徴とする請求項５に記載の画像管理方法。
【請求項７】
上記利用権設定ステップにおいて、上記サーバ装置が、制限無し、画像アルバムの所有者のみ利用可能、非公開などを設定することができる画面を上記画像所有者の撮像機能付き通信端末に表示させることを特徴とする請求項５に記載の画像管理方法。
【請求項８】
上記利用権設定ステップにおいて、上記サーバ装置が、利用権が与えられる利用者を、その通信端末の通信端末識別データにより設定することができる画面を上記画像所有者の撮像機能付き通信端末に表示させることを特徴とする請求項５に記載の画像管理方法。
【請求項９】
上記撮像機能付き通信端末識別データは、電話番号、電子メール・アドレス、パケット通信サービスのアドレス、通信事業者における顧客管理番号、氏名及び住所を含む加入者情報のうち少なくとも一つを含み、上記通信端末識別データは、電話番号、電子メール・アドレス、パケット通信サービスのアドレス、通信事業者における顧客管理番号、氏名及び住所を含む加入者情報のうち少なくとも一つを含むことを特徴とする請求項８に記載の画像管理方法。
【請求項１０】
上記電子的画像アルバムの閲覧の準備が整った段階で、上記電子的画像アルバムの閲覧画面の接続情報及び利用権設定のための接続情報を、上記画像所有者の撮像機能付き通信端末に送信するステップをさらに有することを特徴とする請求項５に記載の画像管理方法。
【請求項１１】
上記画像アルバム作成ステップにおいて、上記処理装置が、上記撮像機能付き通信端末の識別データによって画像の所有者を特定して画像の所有者毎に上記画像アルバムを作成し、
上記電子的画像アルバムの閲覧画面の接続情報及び利用権設定のための接続情報を上記画像所有者の撮像機能付き通信端末に送信するステップにおいて、上記サーバ装置が、上記画像所有者の上記撮像機能付き通信端末の識別データによって、上記画像所有者の撮像機能付き通信端末を特定する
ことを特徴とする請求項１０に記載の画像管理方法。
【請求項１２】
上記撮像機能付き通信端末は、携帯電話、携帯端末、携帯通信端末、携帯情報端末、携帯情報通信端末、ＰＤＡ（Ｐｅｒｓｏｎａｌ  Ｄｉｇｉｔａｌ  Ａｓｓｉｓｔａｎｔｓ或いはＰｅｒｓｏｎａｌ  Ｄａｔａ  Ａｓｓｉｓｔａｎｔｓ）、ＰＨＳ（Ｐｅｒｓｏｎａｌ  Ｈａｎｄｙｐｈｏｎｅ  Ｓｙｓｔｅｍ）などの携帯可能で通信機能を搭載した機器であり、上記通信端末は、携帯電話、携帯端末、携帯通信端末、携帯情報端末、携帯情報通信端末、ＰＤＡ（Ｐｅｒｓｏｎａｌ  Ｄｉｇｉｔａｌ  Ａｓｓｉｓｔａｎｔｓ或いはＰｅｒｓｏｎａｌ  Ｄａｔａ  Ａｓｓｉｓｔａｎｔｓ）、ＰＨＳ（Ｐｅｒｓｏｎａｌ  Ｈａｎｄｙｐｈｏｎｅ  Ｓｙｓｔｅｍ）などの携帯可能で通信機能を搭載した機器であることを特徴とする請求項１乃至１１のいずれかに記載の画像管理方法。
【請求項１３】
電子的に画像の閲覧のための処理、及び画像印刷の注文に対応する処理を行なう画像管理装置において、
画像所有者の撮像機能付き通信端末から画像データと上記撮像機能付き通信端末の識別データとを読取る読取り装置と、
上記読取り装置で読み取られた画像データを上記識別データと関連付けて蓄積する蓄積装置と、
上記蓄積装置に蓄積された上記画像データと上記撮像機能付き通信端末の識別データとに基づいて電子的画像アルバムを作成する処理装置と、
上記処理装置で作成された電子的画像アルバムを保存し、利用者の通信端末からインターネットを介して送信される画像の閲覧要求を受信し、閲覧要求のあった画像を上記通信端末にインターネットを介して送信し、上記利用者の通信端末から画像の印刷の注文のためにインターネットを介して送信される注文データを受信するサーバ装置と、
上記利用者の通信端末からの上記注文データが上記サーバ装置で受信されたときに、画像の印刷を行なう印刷装置とを備え、
上記サーバ装置は、上記閲覧要求を受信したとき、上記通信端末から上記閲覧要求ともに送信された識別データに基づいて上記閲覧についての当該通信端末の利用権の確認を行った上で上記通信端末に対して画像を送信し、
上記サーバ装置は、上記閲覧要求を受信したとき、上記通信端末から上記閲覧要求とともに送信された識別データに基づいて、上記印刷の注文についての当該通信端末の利用権を確認したときは、画像とともに、印刷の注文を可能にするデータを上記通信端末に対して送信し、
上記サーバ装置は、上記注文データを受信したとき、上記印刷装置に該注文データを送信し
上記利用権の確認に用いられる通信端末の識別データが、上記画像データとともに読取られた識別データ又は上記画像データとともに読取られた識別データで特定される撮像機能付き通信端末で利用権を設定された通信端末の識別データである
ことを特徴とする画像管理システム。
【請求項１４】
上記サーバ装置は、確認された利用権の内容により、利用者が利用権を有する画像のみを上記利用者の通信端末に送信してその表示部に表示させることを特徴とする請求項１３に記載の画像管理システム。
【請求項１５】
上記サーバ装置は、確認された利用権の内容により、利用者が利用権を有する画像についてのみ、印刷注文を受付けることができる画面を上記利用者の通信端末に送信してその表示部に表示させることを特徴とする請求項１３に記載の画像管理システム。
【請求項１６】
上記サーバ装置が、通信端末から送信された通信端末識別データと、予め記憶されている、設定された利用権を表わす情報とを参照して利用権の確認を行なうことを特徴とする請求項１３に記載の画像管理システム。
【請求項１７】
上記サーバ装置はさらに、上記利用権を上記画像アルバムの所有者の撮像機能付き通信端末において設定するための画面を上記所有者の通信端末に表示させることを可能にすることを特徴とする請求項１３に記載の画像管理システム。
【請求項１８】
上記サーバ装置は、上記利用権の設定に当たり、画像の閲覧や印刷に関する利用権を、画像アルバム毎に或いは画像毎に設定するための画面を上記画像所有者の撮像機能付き通信端末の表示部に表示させることを特徴とする請求項１７に記載の画像管理システム。
【請求項１９】
上記サーバ装置は、上記利用権の設定に当たり、制限無し、画像アルバムの所有者のみ利用可能、非公開などを設定することができる画面を上記画像所有者の撮像機能付き通信端末に表示させることを特徴とする請求項１７に記載の画像管理システム。
【請求項２０】
上記サーバ装置は、上記利用権が与えられる利用者を、その通信端末の通信端末識別データにより設定することができる画面を上記画像所有者の撮像機能付き通信端末に表示させることを特徴とする請求項１７に記載の画像管理システム。
【請求項２１】
上記撮像機能付き通信端末識別データは、電話番号、電子メール・アドレス、パケット通信サービスのアドレス、通信事業者における顧客管理番号、氏名及び住所を含む加入者情報のうち少なくとも一つを含み、上記通信端末識別データは、電話番号、電子メール・アドレス、パケット通信サービスのアドレス、通信事業者における顧客管理番号、氏名及び住所を含む加入者情報のうち少なくとも一つを含むことを特徴とする請求項２０に記載の画像管理システム。
【請求項２２】
上記サーバ装置は、上記電子的画像アルバムの閲覧の準備が整った段階で、上記電子的画像アルバムの閲覧画面の接続情報及び利用権設定のための接続情報を、上記画像所有者の撮像機能付き通信端末に送信することを特徴とする請求項１７に記載の画像管理システム。
【請求項２３】
上記処理装置は、上記撮像機能付き通信端末の識別データによって画像の所有者を特定して画像の所有者毎に上記画像アルバムを作成し、
上記サーバ装置は、上記電子的画像アルバムの閲覧画面の接続情報及び利用権設定のための接続情報を、上記画像所有者の撮像機能付き通信端末に送信するに当たり、上記画像所有者の上記撮像機能付き通信端末の識別データによって、上記画像所有者の撮像機能付き通信端末を特定する
ことを特徴とする請求項２２に記載の画像管理システム。
【請求項２４】
上記撮像機能付き通信端末は、携帯電話、携帯端末、携帯通信端末、携帯情報端末、携帯情報通信端末、ＰＤＡ（Ｐｅｒｓｏｎａｌ  Ｄｉｇｉｔａｌ  Ａｓｓｉｓｔａｎｔｓ或いはＰｅｒｓｏｎａｌ  Ｄａｔａ  Ａｓｓｉｓｔａｎｔｓ）、ＰＨＳ（Ｐｅｒｓｏｎａｌ  Ｈａｎｄｙｐｈｏｎｅ  Ｓｙｓｔｅｍ）などの携帯可能で通信機能を搭載した機器であり、上記通信端末は、携帯電話、携帯端末、携帯通信端末、携帯情報端末、携帯情報通信端末、ＰＤＡ（Ｐｅｒｓｏｎａｌ  Ｄｉｇｉｔａｌ  Ａｓｓｉｓｔａｎｔｓ或いはＰｅｒｓｏｎａｌ  Ｄａｔａ  Ａｓｓｉｓｔａｎｔｓ）、ＰＨＳ（Ｐｅｒｓｏｎａｌ  Ｈａｎｄｙｐｈｏｎｅ  Ｓｙｓｔｅｍ）などの携帯可能で通信機能を搭載した機器であることを特徴とする請求項１３乃至２３のいずれかに記載の画像管理システム。
【発明の詳細な説明】
【０００１】
【発明の属する技術分野】
本発明は、画像の入力、閲覧、印刷、利用料金支払い等の画像管理方法及び画像管理システムに係り、特に通信端末にて画像の閲覧、印刷、利用料金支払い等の管理サービスを行なう画像管理方法及び画像管理システムに関する。
【０００２】
【従来の技術】
従来のデジタル画像の閲覧や印刷等の画像管理方法について説明する。まずデジタルスチルカメラ等で撮影した画像の第１の印刷方法を図１０６について説明する。図１０６において５１はデジタルスチルカメラ（ＤＳＣ）、５２はパーソナルコンピュータ（ＰＣ）、５３はプリンタである。
【０００３】
デジタルスチルカメラ５１はＵＳＢ、パラレルインタフェース、シリアルインタフェース、ＩＥＥＥ１３９４、ＳＣＳＩ、赤外線インタフェース等のインタフェースを介してパーソナルコンピュータ５２に接続される。パーソナルコンピュータ５２は、デジタルスチルカメラ５１の画像データを読み込む。プリンタ５３は、ＵＳＢ、パラレルインタフェース、シリアルインタフェース、ＩＥＥＥ１３９４、ＳＣＳＩ、赤外線インタフェース、Ｅｔｈｅｒｎｅｔ等のインタフェースを介してパーソナルコンピュータ５２に接続されている。パーソナルコンピュータ５２は、読み込んだ画像データを、プリンタ５３に送信して印刷する。
【０００４】
上記第１の印刷方法の説明では、デジタルスチルカメラ５１はＵＳＢ、パラレルインフェース、シリアルインタフェース、ＩＥＥＥ１３９４、ＳＣＳＩ、赤外線インタフェース等のインタフェースを介してパーソナルコンピュータ５２に接続されていると説明したが、着脱可能なメモリカードに画像データを記録するデジタルスチルカメラの場合は、上記メモリカードをパーソナルコンピュータ５２のメモリカードスロットに装着して、画像デ−タを読み込むこともできる。
【０００５】
メモリカードには、コンパクトフラッシュ、スマートメディア、マルチメディアカード、メモリースティック、ＳＤカード等がある。基本的にフラッシュメモリ等の不揮発性メモリを内蔵したカードが良く用いられるが、ＦＤやＭＯ、ＣＤ−ＲＯＭ、ＤＶＤ−ＲＯＭ、ＭＤ、ＭＯ等を含む可搬型の蓄積メディアであればどれでも同じ目的で使用し得る。
【０００６】
上記第１の印刷方法は、主に家庭にて行なわれる画像印刷方法である。自宅でできるため写真店まで行く手間が省けるところが利点である。しかし、家庭用途に作られたプリンタのため、写真ほどきれいに印刷することはできない。また、印刷画像を得るためにデジタルスチルカメラ以外にパーソナルコンピュータとプリンタを用意しなければならない。さらに利用者には、パーソナルコンピュータやプリンタの使用方法やセッティング方法を習得していることが求められる。
【０００７】
パーソナルコンピュータを経由せず、デジタルスチルカメラに直接接続することができるプリンタも存在するが、写真レベルの画質では印刷できない。さらに、特定のデジタルスチルカメラと特定のプリンタの組合せでないと使用できないため、デジタルスチルカメラの機種選定に制約が加わる、特定のデジタルスチルカメラからしか印刷することができないプリンタは使い勝手が悪い等の問題点がある。
【０００８】
次にデジタルスチルカメラ等で撮影した画像の第２の印刷方法を図１０７について説明する。図１０７において１はデータ読取装置、２は蓄積装置、５は印刷装置、６は管理装置、８はアドレスやデータ、制御信号等のバスである。デジタルスチルカメラにて撮像された画像データが格納されたメモリカードをデータ読取装置１のメモリカードスロットに装着する。データ読取装置１は上記メモリカードから画像データを読取り、蓄積装置２に格納する。印刷装置５は蓄積装置２に格納された画像データから画像を印刷する。管理装置６は、印刷枚数、印刷サイズ、印刷用紙などから決まる印刷料金を計算表示する。
【０００９】
上記第２の印刷方法として、銀塩フイルムの現像及び同時プリントサービスに相当する、デジタルスチルカメラ向けのサービスとして写真店などで実施されている、画像印刷サービスがある。写真店の店頭で画像データの入ったメモリカードを預け、印刷してもらった印刷画像と引換えに料金を支払う。１００万画素以上の画像データをキャビネ版サイズにプリントする場合、銀塩写真と同等のきれいな印刷画像を得ることができる。また、利用者には、新たに設備を購入する費用も発生しないし、新たに使用方法を覚える必要もない。画像の印刷料金も銀塩フイルムのプリント料金程度の場合が多い。しかし、写真店までいかなければならないことが欠点である。また、写真店の営業時間は限定されていて夜遅くの画像印刷は難しい場合が多い。
【００１０】
上記第２の印刷方法として、写真店で人手を介して行なう方法ではなく、利用者がセルフサービスで扱う自動機械を利用する方法もある。２４時間営業していることが多いコンビニエンスストア等に設置されている。メモリカードを指定スロットに装着し、画面の指示に従って印刷枚数、印刷サイズ、印刷用紙等を指定し、指示される料金を入金すると画像が印刷される。自宅や職場の近所にあり、２４時間営業していることが多いコンビニエンスストア等に設置されていれば、利用時間に制限がなく、また、銀塩写真並みにきれいな画像が得られると言う利点もある。
【００１１】
次にデジタルスチルカメラ等で撮影した画像の閲覧方法を図１０８について説明する。図１０８において５１はデジタルスチルカメラ（ＤＳＣ）、５２はパーソナルコンピュータ（ＰＣ）、５０はインターネット、４はサーバ装置、８はバス、２は蓄積装置、４０は、サーバ装置４、バス８、蓄積装置２から成るＷＷＷサービス業者のシステムである。
【００１２】
デジタルスチルカメラ５１は撮像画像を内部メモリあるいはメモリカードに格納する。デジタルスチルカメラ５１の内部メモリに格納された上記撮像画像に基づく画像データはＵＳＢ、パラレルインタフェース、シリアルインタフェース、ＩＥＥＥ１３９４、ＳＣＳＩ等のインタフェースを介して、あるいはメモリカードに格納された上記撮像画像に基づく画像データはカードスロット等を介してパーソナルコンピュータ５２に読み込まれる。パーソナルコンピュータ５２は、読み込んだ画像データによる画像ファイル及び上記画像ファイルにリンクを張ったＨＴＭＬファイルを作成する。パーソナルコンピュータ５２は、上記ＨＴＭＬファイル及び上記画像ファイルを電話回線経由でインターネット接続業者を介してインターネット５０に接続しているＷＷＷサービス業者のサーバ装置４に送信する。サーバ装置４はバス８を介して蓄積装置２に上記ＨＴＭＬファイル及び上記画像ファイルを格納する。
【００１３】
利用者は、パーソナルコンピュータ５２から電話回線経由でインターネット接続業者を介してＵＲＬ（uniform resource locator）で指定されるインターネット５０上のサーバ装置４の特定のホームページにアクセスする。利用者は、パーソナルコンピュータ５２のモニタ画面上で、上記ＨＴＭＬファイルに基づいたホームページ画面にて上記撮像画像を閲覧できる。
【００１４】
また、図示していないが、インターネット５０にＷＷＷサービス業者等を介して接続された他のパーソナルコンピュータからでも、上記ＵＲＬで指定されるホームページにアクセスすることにより同様にして上記撮像画像を閲覧できる。
【００１５】
上記の方法を利用すれば、例えばグループ旅行等で撮影した写真を、グループのメンバーがすぐに閲覧することができるメリットがある。しかし、パーソナルコンピュータ等のインターネットに接続できる環境を保有していないメンバーは閲覧できないと言う欠点がある。また、画像データを電話回線経由でサーバに送ると、画像データの容量に比例して送信料金が高くなる欠点がある。またインターネット接続料金や電話料金が固定であっても、電話回線を占有使用するので、画像データを送信している間、電話やファックス等が使えなくなる欠点がある。
【００１６】
次にデジタルスチルカメラ等で撮影した画像の第３の印刷方法を図１０９について説明する。図１０９において５１はデジタルスチルカメラ（ＤＳＣ）、５２はパーソナルコンピュータ（ＰＣ）、５０はインターネット、４はサーバ装置、８はバス、２は蓄積装置、６は管理装置、５は印刷装置、４２は、サーバ装置４、バス８、蓄積装置２、印刷装置５、管理装置６から成るＷＷＷサービス業者のシステムである。
【００１７】
デジタルスチルカメラ５１は撮像画像を内部メモリあるいはメモリカードに格納する。デジタルスチルカメラ５１の内部メモリに格納された上記撮像画像に基づく画像データはＵＳＢ、パラレルインフェース、シリアルインタフェース、ＩＥＥＥ１３９４、ＳＣＳＩ等のインタフェースを介して、あるいはメモリカードに格納された上記撮像画像に基づく画像データはカードスロット等を介してパーソナルコンピュータ５２に読み込まれる。パーソナルコンピュータ５２は、読み込んだ画像データによる画像ファイル及び上記画像ファイルにリンクを張ったＨＴＭＬファイルを作成する。パーソナルコンピュータ５２は、上記ＨＴＭＬファイル及び上記画像ファイルを電話回線経由でインターネット接続業者を介してインターネット５０に接続しているＷＷＷサービス業者のサーバ装置４に送信する。サーバ装置４はバス８を介して蓄積装置２に上記ＨＴＭＬファイル及び上記画像ファイルを格納する。
【００１８】
利用者は、パーソナルコンピュータ５２から電話回線経由でインターネット接続業者を介してインターネット５０上のサーバ装置４のホームページ（ＵＲＬで指定される）にアクセスする。利用者は、パーソナルコンピュータ５２のモニタ画面上で、上記ＨＴＭＬファイルに基づいたホームページ画面にて上記撮像画像を閲覧できる。
【００１９】
また、利用者はパーソナルコンピュータ５２から上記ＵＲＬで指定されたホームページにアクセスし、上記ホームページにて上記撮像画像を閲覧すると共に、上記ホームページ画面から上記撮像画像の印刷注文を行なうこともできる。印刷注文を受けるとサーバ装置４は、印刷装置５と管理装置６に注文内容を通知する。印刷装置５は蓄積装置２に格納された画像データから画像を印刷する。管理装置６は、印刷枚数、印刷サイズ、印刷用紙などから決まる印刷料金を計算する。
【００２０】
利用者は、上記印刷注文の際に指定した写真店にて印刷料金を支払い印刷画像を受け取る。利用者は、印刷注文と印刷画像受取の２回に渡って写真店を訪問する必要がなく、１回の写真店の訪問で済むようになる利点がある。さらに、印刷画像を宅配とすれば、写真店に赴くことなく印刷画像を入手できる利点がある。しかし、画像データを電話回線経由でサーバに送ると、画像データの容量に比例して送信料金が高くなる欠点がある。またインターネット接続料金や電話料金が固定であっても、電話回線を占有使用するので、画像データを送信している間、電話やファックス等が使えなくなる欠点がある。
【００２１】
一方、撮像機能付き携帯電話、あるいはデジタルスチルカメラと携帯電話の組合せは、撮像手段と通信手段の組合せであるため撮像画像を電子メールの添付ファイルとして送信したり、撮像画像をインターネットのホームページに載せたりすることにより映像を使った情報の伝達をいつでもどこでも簡単に実現することができる。しかし、携帯電話の電子メール容量は通信業者の回線やサーバの容量を考慮して、それほど大きな画像ファイルを添付することはできない。
【００２２】
水平６４０画素、垂直４８０画素で約３０万画素のＶＧＡサイズや、水平３５２画素、垂直２８８画素で約１０万画素のＣＩＦサイズの画像は、一般的な写真サイズであるキャビネ版に印刷しても、画素数が少ないためあまりきれいではない。例えば１００万画素以上の画像ならキャビネ版に印刷しても、銀塩写真と遜色ないレベルのきれいな印刷画像が得られる。
【００２３】
しかし、１００万画素以上の画像は携帯電話の電子メールの添付ファイルとすることはできない。また、１００万画素以上の画像データを特定のサーバに送信できるサービスが提供されたとしても、携帯電話は固定電話より、通話料金は高く、伝送レートは低いため、送信のために高額な費用を要する。
【００２４】
【発明が解決しようとする課題】
従来のデジタル画像の閲覧や印刷等の画像管理方法及びそれに用いる装置は以上のように構成、運用されているので、関係者間での画像閲覧のため、インターネット上のサーバに撮像画像を閲覧できるホームページを用意すると、サーバへの画像送信分の通信料金費用がかかる課題がある。また、関係者が印刷画像を入手したい時でも、撮像画像の保有者に連絡して別途、印刷してもらい入手するという手間がかかると言う課題があった。一方、撮像画像を閲覧できるホームページを用意した場合、そのホームページへアクセスした人は誰でも画像の閲覧や印刷が可能になる場合があり、プライバシーや著作権が侵害されてしまうと言う不都合であった。
【００２５】
この発明は、上述のような課題の解消を目的としてなされたもので、撮像画像の送信に通信料金をかけずに、撮像画像をインターネットを介して関係者間で閲覧したり、印刷画像の注文をしたりすることができる画像管理方法及びシステムを得ることを目的とする。
【００２６】
本発明の他の目的は、インターネット上の撮像画像を誰でも画像の閲覧や印刷が可能になると言う不都合をなくすことを目的とする。
【００２７】
【課題を解決するための手段】
本発明は、電子的に画像の閲覧のための処理、及び画像印刷の注文に対応する処理を行なう画像管理方法において、
通信端末から画像データを読取る読取りステップと、
上記画像データから電子的画像アルバムを作成する画像アルバム作成ステップと、
利用者の通信端末に上記電子的画像アルバムの画像を送信してその表示部に表示して閲覧させる閲覧ステップと、
利用者が上記通信端末を用いて行なう上記電子的画像アルバムの画像の印刷の注文を受付ける印刷注文処理ステップと、
上記画像の閲覧、又は上記画像の印刷に際し、利用者の利用権の確認を行なう利用権確認ステップと、
上記利用者からの印刷注文に対して印刷を行なうステップと
を含む画像管理方法を提供するものである。
【００２８】
上記閲覧ステップにおいて、上記利用権確認ステップで確認した利用権の内容により、利用者が利用権を有する画像のみを上記利用者の通信端末に送信してその表示部に表示させることとしても良い。
【００２９】
上記印刷注文処理ステップにおいて、上記利用権確認ステップで確認した利用権の内容により、利用者が利用権を有する画像についてのみ、印刷注文を受付けることができる画面を上記利用者の通信端末に送信してその表示部に表示させることとしても良い。
【００３０】
上記利用権確認ステップが、利用に際し、利用者に認証のための所定の操作を行なわせることを含むこととしても良い。
【００３１】
上記利用権の確認を、通信端末から送信された通信端末識別データと、予め記憶されている、設定された利用権を表わす情報とを参照して行なうこととしても良い。
【００３２】
上記利用権を上記画像アルバムの所有者の通信端末において設定する利用権設定ステップをさらに有することとしても良い。
【００３３】
上記利用権設定ステップにおいて、上記閲覧や印刷に関する利用権を、画像アルバム毎に或いは画像毎に設定するための画面を上記画像所有者の通信端末の表示部に表示させることとしても良い。
【００３４】
上記利用権設定ステップにおいて、制限無し、画像アルバムの所有者のみ利用可能、非公開などを設定することができる画面を上記画像所有者の通信端末に表示させることとしても良い。
【００３５】
上記利用権設定ステップにおいて、利用権が与えられる利用者を、その通信端末の通信端末識別データにより設定することができる画面を上記画像所有者の通信端末に表示させることとしても良い。
【００３６】
上記通信端末識別データが、電話番号、電子メール・アドレス、パケット通信サービスのアドレス、通信事業者における顧客管理番号、氏名及び住所を含む加入者情報のうち少なくとも一つを含むものであっても良い。
【００３７】
上記利用権設定ステップにおいて、利用に際し、利用者に所定の操作を行なわせることにより利用権を確認する設定を選択することが可能であることとしても良い。
【００３８】
上記電子的画像アルバムの閲覧の準備が整った段階で、上記電子的画像アルバムの閲覧画面の接続情報及び利用権設定のための接続情報を、上記画像所有者の通信端末に送信するステップをさらに有することとしても良い。
【００３９】
上記読取りステップにおいて、上記通信端末から画像データとともに、上記通信端末の識別データを送信し、
上記画像アルバム作成ステップにおいて、上記通信端末の識別データによって画像の所有者を特定して画像の所有者毎に上記画像アルバムを作成し、
上記電子的画像アルバムの閲覧画面の接続情報及び利用権設定のための接続情報を上記画像所有者の通信端末に送信するステップにおいて、上記画像所有者の上記通信端末の識別データによって、上記画像所有者の通信端末を特定することとしても良い。
【００４０】
上記印刷に関し利用料金を計算する利用料金計算ステップと、
計算された利用料金を、利用者の通信端末の通信料金管理請求者に送信するステップと
上記印刷ステップで印刷した印刷画像を、上記注文に基づいて発送させる発送ステップと
をさらに有することとしても良い。
【００４１】
上記通信端末は例えば、携帯電話、携帯端末、携帯通信端末、携帯情報端末、携帯情報通信端末、ＰＤＡ（Ｐｅｒｓｏｎａｌ  Ｄｉｇｉｔａｌ  Ａｓｓｉｓｔａｎｔｓ或いはＰｅｒｓｏｎａｌ  Ｄａｔａ  Ａｓｓｉｓｔａｎｔｓ）、ＰＨＳ（Ｐｅｒｓｏｎａｌ  Ｈａｎｄｙｐｈｏｎｅ  Ｓｙｓｔｅｍ）などの携帯可能で通信機能を搭載した機器である。
【００４２】
本発明はまた、電子的に画像の閲覧のための処理、及び画像印刷の注文に対応する処理を行なう画像管理装置において、
通信端末から画像データを読取る読取り装置と、
上記画像データから電子的画像アルバムを作成する処理装置と、
利用者の通信端末に上記電子的画像アルバムの画像を送信してその表示部に表示して閲覧させ、利用者が上記通信端末を用いて行なう上記電子的画像アルバムの画像の印刷の注文を受付け、上記画像の閲覧、又は上記画像の印刷に際し、利用者の利用権の確認を行なうサーバ装置と、
上記利用者からの印刷注文に対して印刷を行なう印刷装置と
を含む画像管理システムを提供するものである。
【００４３】
上記サーバ装置が、確認された利用権の内容により、利用者が利用権を有する画像のみを上記利用者の通信端末に送信してその表示部に表示させるものであっても良い。
【００４４】
上記サーバ装置が、確認された利用権の内容により、利用者が利用権を有する画像についてのみ、印刷注文を受付けることができる画面を上記利用者の通信端末に送信してその表示部に表示させるものであっても良い。
【００４５】
上記サーバ装置が、利用に際し、利用者に認証のための所定の操作を行なわせるものであっても良い。
【００４６】
上記サーバ装置が、通信端末から送信された通信端末識別データと、予め記憶されている、設定された利用権を表わす情報とを参照して利用権の確認を行なうものであっても良い。
【００４７】
上記サーバ装置がさらに、上記利用権を上記画像アルバムの所有者の通信端末において設定するための画面を上記所有者の通信端末に表示させるものであっても良い。
【００４８】
上記サーバ装置が、上記利用権の設定に当たり、画像の閲覧や印刷に関する利用権を、画像アルバム毎に或いは画像毎に設定するための画面を上記画像所有者の通信端末の表示部に表示させるものであっても良い。
【００４９】
上記サーバ装置が、上記利用権の設定に当たり、制限無し、画像アルバムの所有者のみ利用可能、非公開などを設定することができる画面を上記画像所有者の通信端末に表示させるものであっても良い。
【００５０】
上記サーバ装置が、上記利用権が与えられる利用者を、その通信端末の通信端末識別データにより設定することができる画面を上記画像所有者の通信端末に表示させるものであっても良い。
【００５１】
上記通信端末識別データが、電話番号、電子メール・アドレス、パケット通信サービスのアドレス、通信事業者における顧客管理番号、氏名及び住所を含む加入者情報のうち少なくとも一つを含むこととしても良い。
【００５２】
上記サーバ装置が、上記利用権の設定に当たり、利用に際し、利用者に所定の操作を行なわせることにより利用権を確認する設定を選択することが可能であるものであっても良い。
【００５３】
上記サーバ装置が、上記電子的画像アルバムの閲覧の準備が整った段階で、上記電子的画像アルバムの閲覧画面の接続情報及び利用権設定のための接続情報を、上記画像所有者の通信端末に送信するものであっても良い。
【００５４】
上記読取り装置が、上記通信端末から画像データとともに、上記通信端末の識別データを送信するものであり、
上記処理装置が、上記通信端末の識別データによって画像の所有者を特定して画像の所有者毎に上記画像アルバムを作成するものであり、
上記サーバ装置が、上記電子的画像アルバムの閲覧画面の接続情報及び利用権設定のための接続情報を、上記画像所有者の通信端末に送信するに当たり、上記画像所有者の上記通信端末の識別データによって、上記画像所有者の通信端末を特定するものであっても良い。
【００５５】
上記印刷に関し利用料金を計算する管理装置と、
計算された利用料金を、利用者の通信端末の通信料金管理請求者に送信する送受信装置と
をさらに有し、
上記サーバ装置が、上記印刷装置で印刷した印刷画像を、上記注文に基づいて発送させるものであっても良い。
【００５６】
上記通信端末は、例えば携帯電話、携帯端末、携帯通信端末、携帯情報端末、携帯情報通信端末、ＰＤＡ（Ｐｅｒｓｏｎａｌ  Ｄｉｇｉｔａｌ  Ａｓｓｉｓｔａｎｔｓ或いはＰｅｒｓｏｎａｌ  Ｄａｔａ  Ａｓｓｉｓｔａｎｔｓ）、ＰＨＳ（Ｐｅｒｓｏｎａｌ  Ｈａｎｄｙｐｈｏｎｅ  Ｓｙｓｔｅｍ）などの携帯可能で通信機能を搭載した機器である。
【００５７】
【発明の実施の形態】
図１は本発明の実施の形態１による画像管理システム及びこれに接続された機器を示すブロック図である。図１において、１０は写真店等に設置される画像管理システムであり、データ読取装置１、蓄積装置２、処理装置３、サーバ装置４、印刷装置５、管理装置６、及び送受信装置７を含む。これらは、アドレスバス、データバス、及び制御線を含むバス８で互いに接続されている。
【００５８】
２０は、通信事業者における通信管理システムであり、送受信装置２１、サーバ装置２２、管理装置２３、及び回線処理装置２４を含み、これらはアドレスバス、データバス、及び制御線から成るバス２５で互いに接続されている。
【００５９】
３０、３１、３２、及び３３は各々所有者乃至使用者の異なる携帯電話であり、そのうち、携帯電話３０は撮像機能付き携帯電話として図示されている。他の携帯電話３１、３２、及び３３は撮像機能付きであってもなくても良い。
【００６０】
画像管理システム１０、通信管理システム２０、及び携帯電話３０乃至３３はインターネット５０で互いに接続可能である。
【００６１】
撮像機能付き携帯電話３０は、携帯電話に撮像機能を搭載したものである。撮像機能としては、デジタルスチルカメラとほぼ同様な機能を有し、撮像素子で撮像した画像をデジタルデータとして保存する。構成は、例えば携帯電話本体にカメラ部を内蔵した構成でもよいし。携帯電話本体から独立したカメラアダプタにカメラ部を内蔵した構成でもよい。
【００６２】
図２（ａ）は撮像機能付き携帯電話３０の前面図である。図２（ｂ）は撮像機能付き携帯電話３０の背面図である。図２において、６０はアンテナ、６１は表示部、６２は電話用キーボード部、６３は「上」矢印キー、６４は「下」矢印キー、６５は「左」矢印キー、６６は「右」矢印キー、６７は「選択」キー、６８は「カメラ」キー、６９は「シャッター」キー、７０はカメラレンズ部、７１はメモリカード、７２はメモリカード用のカードスロットである。
【００６３】
撮像機能付き携帯電話３０の画像撮像動作を図２を参照して説明する。「カメラ」キー６８を押すと、カメラレンズ部７０を経てカメラレンズ内部に配置された撮像素子の撮像面上に結像した画像は、撮像素子にて光電変換され撮像される。撮像された画像は、図示しないカメラ信号処理回路、表示系信号処理回路等を経て表示部６１に動画表示される。表示部６１の画像をモニタしながら、被写体やアングルを調整できる。「シャッター」キー６９を押すと、撮像画像を、圧縮等してメモリカード７１に格納する。
【００６４】
図１に示す画像管理システム１０は、撮像により得られた電子的画像の閲覧及び印刷の注文に対応する処理、並びに閲覧、印刷に関する利用権の設定のための処理を行なうものであり、後にそれぞれ詳しく説明するように、データ読取り装置１は、通信端末例えば撮像機能付き携帯電話３０から画像データと通信端末識別データ（例えば携帯電話番号）とを読取る。蓄積装置２は、データ読取り装置１で読取られた画像データを蓄積する。この際、各画像データは、画像データの供給元である通信端末の識別データに関係付けて蓄積される。また、通信端末から読み出される一連の画像データは、一つの群に纏められ互いに関係付けて蓄積される。
【００６５】
処理装置３は、蓄積装置２に蓄積された画像データ（通信端末の識別データに関連づけられている）から、例えば通信端末識別データ毎の電子的画像アルバムを作成し、サーバ装置４内に保存する。この際、画像データを利用者の通信端末の表示部に表示可能な画素数以下に縮小する。電子的画像アルバム中の各画像は、蓄積装置２内の対応する画像とは、画像識別符号により相互の対応関係が示されている。
【００６６】
サーバ装置４は、電子的画像アルバムの閲覧の準備が整った段階で、電子的画像アルバムの閲覧画面の接続情報、及び利用権設定のための画面の接続情報を対応する通信端末に送信し、利用者が電子的画像アルバムを閲覧や印刷注文するのを可能にする画面と、画像の所有者が利用権を設定するのを可能にする画面とを利用者の通信端末に提供し、利用者からの閲覧要求、印刷注文、利用権設定要求を受信する。サーバ装置４はまた、利用権設定の要求に応じて、画像アルバムの全体または一部について、閲覧や印刷注文に関する利用権の設定のための処理を行ない、設定内容を保存する。サーバ装置４はさらに、閲覧要求や印刷注文に対し、利用者が利用権を有することを確認した上で閲覧、印刷を可能にする。利用権の確認は、例えば利用者の通信端末から送信された通信端末識別データと、予め記憶されている、設定された利用権を表わす情報とを参照して行なわれる。他の方法では、利用に際し、利用者に利用権の認証のための所定の操作（例えばパスワードの入力）を行なわせる。サーバ装置４はまた、注文データの作成に際し、印刷画像の送付先を上記通信端末識別データに基づいて指定することを可能にする画面を利用者の通信端末に提供する。サーバ装置４はさらにまた、注文データの一部として、画像識別符号（例えば、一連の画像データ或いは各アルバム中の画像の番号）、印刷枚数、印刷用紙情報、通信端末識別データを含む注文データを受信する。
【００６７】
印刷装置５は、注文データに基づいて画像の印刷を行なう。管理装置６は、注文データに基づいて利用料金を計算する。この際、通信端末識別データに関連付けて利用料金を計算する。送受信装置７は、画像管理に必要なデータを送受信する。送受信装置７はまた、利用者の通信端末の通信料金管理請求者例えば通信事業者に通信端末識別データに関連付けられた利用料金のデータを送信する。送受信装置７はさらに、通信端末識別データに基づいて当該通信端末の通信料金管理請求者例えば通信事業者から送信先データを入手する。
【００６８】
画像の読取り及び蓄積、画像所有者の通信端末への接続情報等の通知、利用権の設定、画像の利用の際に用いられる通信端末識別データとしては、電話番号、電子メール・アドレス、パケット通信サービスのアドレス、通信事業者における顧客管理番号、氏名及び住所を含む加入者情報などを用いることができる。
【００６９】
以下通信端末として携帯電話を用いる場合について説明するが、通信端末としては、代りに、携帯端末、携帯通信端末、携帯情報端末、携帯情報通信端末、ＰＤＡ（Ｐｅｒｓｏｎａｌ  Ｄｉｇｉｔａｌ  Ａｓｓｉｓｔａｎｔｓ或いはＰｅｒｓｏｎａｌ  Ｄａｔａ  Ａｓｓｉｓｔａｎｔｓ）、ＰＨＳ、Ｐｅｒｓｏｎａｌ  Ｈａｎｄｙｐｈｏｎｅ  Ｓｙｓｔｅｍなど、携帯可能で通信機能を搭載した機器であればいかなるものであっても良い。
【００７０】
図３乃至図６は、画像管理システム１０による、データ蓄積、アルバム作成、利用権設定、画像閲覧のための画像提供、印刷注文受付けなどの動作を説明するフローチャートである。図７は、サーバ装置４から画像印刷の指示を受けたときのプリンタ５及び管理装置６の動作（図６のステップｆ９の処理に応じて行なわれる処理）を示すフローチャートである。以下の動作を説明においては、各動作に対応した図３乃至図７の対応部分の符号を付記する。
【００７１】
画像管理システム１０は、読取り装置１により、例えば撮像機能付き携帯電話３０で撮像した画像の入ったメモリカード７１から、一連の画像データ及び（識別データとしての）携帯電話番号、電子メール・アドレスを読取り、蓄積装置２に格納する（ｆ１)。
【００７２】
上記一連の画像データは、一つの群に纏められ互いに関係付けられて、さらに画像データの供給元である携帯電話の番号に関係付けられて蓄積装置２に格納される。このように携帯電話の番号に関係付けられて蓄積される結果、同じ携帯電話から過去に読み出され、従って同じ携帯電話の番号に関係付けられた画像データの群が既に蓄積装置２に格納されている場合には、その画像データの群とも関係付けられ、一つの組を構成することになる。
【００７３】
処理装置３は、蓄積装置２から画像データ等を読取って、同一の携帯電話番号から読み出された上記一連の画像から構成された画像アルバムのホームページを作成する（ｆ２）。この場合、過去に同じ携帯電話から読み出され、同じ携帯電話番号に関係付けられた画像データの群がすでに蓄積装置内に格納されている場合には、それとともに、一つのアルバムを構成するようにしても良く、上記一連の画像データの群のみで一つのアルバムを構成するようにしても良い。以下では、後者の態様が採用されているものとして説明する。
【００７４】
アルバムを構成する際、処理装置３は、携帯電話の表示部に表示できるようように撮像画像を縮小した縮小画像を作成する。例えば、撮像画像は、水平３５２画素、垂直２８８画素で約１０万画素のＣＩＦサイズであったり、水平６４０画素、垂直４８０画素で約３０万画素のＶＧＡサイズであったりする。あるいは、１００万画素を超える画素数の場合もある。一方、一般に携帯電話の表示部の画素数は、水平１２０画素、垂直１６０画素程度である場合が多い。そこで、携帯電話での閲覧のために、図８のように撮像画像を携帯電話の表示部に対応した画像サイズに縮小する。
【００７５】
処理装置３は作成した画像アルバムのＨＴＭＬファイル及び対応する画像ファイル等のリンクファイルをサーバ装置４に格納する（ｆ３）。なお、画像アルバムの画像は携帯電話での閲覧のために作成されるものであるのに対し、印刷を行なう場合は、後述のように、蓄積装置２に蓄積された画像が用いられる。
【００７６】
サーバ装置４は上記画像アルバムのホームページが準備できると、上記画像アルバムのホームページ（Web site）の先頭のページの接続情報としてのＵＲＬ（uniform resource locator）とともに利用権設定ページの接続情報としてのＵＲＬを通知する電子メールを、上記携帯電話３０の電子メール・アドレスに宛てて送信する（ｆ４）。この電子メールは、画像アルバムが完成したことを知らせる役割を持つものであり、ＵＲＬ以外にアクセス方法の説明も記載する。サーバ装置４から発信された上記電子メールはインターネット５０を介して、通信事業者２０のサーバ装置２２で受信される。サーバ装置２２で受信された上記電子メールは、バス２５を経て回線処理装置２４からパケット通信として携帯電話３０に受信される。
【００７７】
この電子メールが携帯電話３０に受信されると、上記電子メールが携帯電話３０の表示部に電子的画像アルバムの閲覧又は利用権設定を可能にする画面として表示される。その一例を図９に示す。これに応じて、携帯電話３０の利用者（画像の所有者）は、「閲覧」ボタン２０１又は「利用権設定」２０２のいずれかを選択して決定操作を行なうことで、（上記ＵＲＬで指定される）上記画像アルバムのホームページ又は、利用権設定のためのホームページにアクセスして、画像の閲覧又は利用権の設定を要求することができる（ｆ５）。
【００７８】
最初に、利用権の設定を行なう場合について説明する。この利用権の設定は、電子的画像アルバム（その一部である画像）の閲覧、印刷注文に関し、その所有者、即ち当該アルバムの画像の撮像に用いられた携帯電話（携帯電話３０）の所有者が、他の人（例えば、携帯電話３１、３２、３３などの所有者）に（或いは他の携帯電話を用いてアクセスした場合）に、利用する権利を設定するものである。利用権の設定を行なう前の状態（初期状態）では、例えば、この利用権は画像所有者のみが有している。（即ち画像の撮像に用いられた携帯電話でアクセスする場合にのみ利用が認められる。）
【００７９】
上記のように、「利用権の設定」ボタン２０２が選択されて決定操作が行なわれると、利用権設定画面の閲覧要求として、携帯電話３０は上記ＵＲＬをパケット通信で回線処理装置２４に送信する（ｆ４１）。この閲覧要求は、回線処理装置２４からバス２５を経てサーバ装置２２から発信され、インターネット５０を介して、該当するサーバ装置４で受信される。
【００８０】
画像管理システム１０は、携帯電話からの通信が利用権設定画面の閲覧要求であることを確認し、上記ＵＲＬで指定されるホームページの先頭のページに対応したＨＴＭＬファイル及び関連ファイルを送信する。上記ＨＴＭＬファイル及び関連ファイルは、インターネット５０を介して、通信事業者２０のサーバ装置２２で受信される。サーバ装置２２で受信した上記ＨＴＭＬファイル及び関連ファイルは、バス２５を経て回線処理装置２４からパケット通信として携帯電話３０に送信される。
【００８１】
この結果、携帯電話３０の表示部６１には例えば、図１０に示される画面が表示される。この画面は、利用権の設定範囲を設定するためのものであり、画像所有者が登録している電子的画像アルバム全ての利用権を一括して設定するための「全アルバム」ボタン２０３、電子的画像アルバム単位にて利用権を設定するための「アルバム毎」ボタン２０４、画像単位毎にて利用権を設定するための「画像毎」ボタン２０５、「ＯＫ」ボタン９６、及び「戻る」ボタン９７を表示している。
【００８２】
例えば、図１０の画面において、画像所有者が登録している電子的画像アルバム全ての利用権を一括して設定するため、「全アルバム」ボタン２０３を選択すると図１１のように「全アルバム」ボタン２０３がハッチングで示すように表示色が変わり選択された状態となる。図１１の「全アルバム」ボタン２０３が選択された状態（ハッチングで示すように表示色が変わっている）で決定操作を行なうと（ｆ４２）、図１２の利用権対象設定画面が表示される。
【００８３】
図１２に示される画面は、利用権の設定対象を設定するためのものであり、画像閲覧の利用権及び画像の印刷注文の利用権をまとめて設定するための「閲覧/印刷注文利用権」ボタン２０７、画像閲覧についてのみ利用権を設定するための「閲覧利用権」ボタン２０８、画像の印刷注文についてのみ利用権を設定するための「印刷注文利用権」ボタン２０９、「ＯＫ」ボタン９６、及び「戻る」ボタン９７を表示している。なお、ボタン２０８を用いて閲覧について利用権を設定し、これとは別に、ボタン２０９を用いて印刷注文について利用権を設定することもできる。
【００８４】
例えば、図１２の画面において、画像閲覧の利用権及び画像の印刷注文の利用権をまとめて設定するため、「閲覧/印刷注文利用権」ボタン２０７を選択すると図１３のように「閲覧/印刷注文利用権」ボタン２０７が選択された状態（ハッチングで示すように表示色が変わっている）となる。図１３の「閲覧/印刷注文利用権」ボタン２０７が選択された状態で決定操作を行なうと（ｆ４３）、図１４の利用権設定画面が表示される。
【００８５】
図１４に示される画面は、利用権の詳細を設定するためのものであり、本端末のみに利用権を設定するための「本端末のみ」ボタン２１１、どの端末でも利用権を持ちいずれの端末からでもアクセスできるように設定するための「無制限」ボタン２１２、いずれの端末からのアクセスも拒否するように設定するための「非公開」ボタン２１３、特定の端末だけが利用権を有するよう設定するための「端末登録者」ボタン２１４、アクセスにあたりパスワード入力を要求しパスワード認証の上でアクセスを許可するよう設定するための「パスワード認証者」ボタン２１５、「ＯＫ」ボタン９６、及び「戻る」ボタン９７を表示している。
【００８６】
図１４の画面が表示されている状態において、本端末のみに利用権を設定するため、「本端末のみ」ボタン２１１を選択すると図１５のように「本端末のみ」ボタン２１１が選択された状態（ハッチングで示すように表示色が変わっている）となる。図１５の「本端末のみ」ボタン２１１が選択された状態で決定操作を行なうと（ｆ４４）、図１６の利用権設定結果画面が表示される（ｆ４５）。
【００８７】
図１６に示される画面は、利用権の設定内容を確認するためのものであり、画像所有者が登録している電子的画像アルバム全て（２１６）を対象とした、画像閲覧の利用権及び画像の印刷注文の利用権（２１７）を、本端末のみ（２１８）が保有するように設定したことを確認できる。また「ＯＫ」ボタン９６、及び「戻る」ボタン９７を表示している。例えば、図１６の画面において、表示状態で設定するため、「ＯＫ」ボタンを選択すると表示の内容にて利用権が設定される。
【００８８】
例えば、図１４の画面において、どの端末でも利用権を持ちいずれの端末からでもアクセスできるように設定するため、「無制限」ボタン２１２を選択すると図１７のように「無制限」ボタン２１２が選択された状態（ハッチングで示すように表示色が変わっている）となる。図１７の「無制限」ボタン２１２が選択された状態で決定操作を行なうと（ｆ４４）、図１８の利用権設定結果画面が表示される。
【００８９】
図１８に示される画面は、利用権の設定内容を確認するためのものであり、画像所有者が登録している電子的画像アルバム全て（２１６）を対象とした、画像閲覧の利用権及び画像の印刷注文の利用権（２１７）を、どの端末も（２２０）保有するように設定したことを確認できる。また「ＯＫ」ボタン９６、及び「戻る」ボタン９７を表示している。例えば、図１８の画面において、表示状態で設定するため、「ＯＫ」ボタンを選択すると表示の内容にて利用権が設定される。
【００９０】
例えば、図１４の画面において、いずれの端末からのアクセスも拒否するように設定するため、「非公開」ボタン２１３を選択すると図１９のように「非公開」ボタン２１３が選択された状態（ハッチングで示すように表示色が変わっている）となる。図１９の「非公開」ボタン２１３が選択された状態で決定操作を行なうと（ｆ４４）、図２０の利用権設定結果画面が表示される。
【００９１】
図２０に示される画面は、利用権の設定内容を確認するためのものであり、画像所有者が登録している電子的画像アルバム全て（２１６）を対象とした、画像閲覧の利用権及び画像の印刷注文の利用権（２１７）を、いずれの端末も保有していない（２２２）ように設定したことを確認できる。また「ＯＫ」ボタン９６、及び「戻る」ボタン９７を表示している。例えば、図２０の画面において、表示状態で設定するため、「ＯＫ」ボタンを選択すると表示の内容にて利用権が設定される。
【００９２】
例えば、図１４の画面において、特定の端末だけが利用権を有するよう設定するため、「端末登録者」ボタン２１４を選択すると図２１のように「端末登録者」ボタン２１４が選択された状態（ハッチングで示すように表示色が変わっている）となる。図２１の「端末登録者」ボタン２１４が選択された状態で決定操作を行なうと（ｆ４４）、図２２の端末登録者画面が表示される。
【００９３】
図２２には、利用権を保有する端末の登録者を示す画面を表示している。図２２は初期状態のため、「自分」（２２４）だけが表示される。さらに追加の端末登録を行なうための「追加登録」ボタン２２５も表示されている。また「ＯＫ」ボタン９６、及び「戻る」ボタン９７が表示されている。追加の端末登録を行なうため「追加登録」ボタン２２５を選択すると図２２のように「追加登録」ボタン２２５が選択された状態（ハッチングで示すように表示色が変わっている）となる。図２２の「追加登録」ボタン２２５が選択された状態で決定操作を行なうと、図２３の端末登録画面が表示される。
【００９４】
図２３には、利用権を追加する端末を設定するための画面を表示している。図２３に示すように、追加する端末をアドレス帳から選択して設定できる「アドレス帳から指定」ボタン２２７、追加する端末の指定を電話番号入力で設定できる「電話番号入力」ボタン２２８、追加する端末の指定をメール・アドレス入力で設定できる「メール・アドレス入力」ボタン２２９、「ＯＫ」ボタン９６、及び「戻る」ボタン９７が表示されている。
【００９５】
例えば、アドレス帳からの選択によって追加端末の登録を行なうため「アドレス帳から指定」ボタン２２７を選択すると図２３のように「アドレス帳から指定」ボタン２２７が選択された状態（ハッチングで示すように表示色が変わっている）となる。図２３の「アドレス帳から指定」ボタン２２７が選択された状態で決定操作を行なうと、図２４のアドレス帳による端末登録画面が表示される。
【００９６】
図２４には、アドレス帳データを利用した端末登録画面が表示されており、アドレス帳に登録している「田中さん」２３１、「佐藤君」２３２、「鈴木様」２３３、「渡部さん」２３４、「山本様」２３５が表示されている。また「ＯＫ」ボタン９６、及び「戻る」ボタン９７が表示されている。田中さんの端末に利用権を設定するため「田中さん」ボタン２３１を選択すると図２４のように「田中さん」ボタン２３１が選択された状態（ハッチングで示すように表示色が変わっている）となる。図２４の「田中さん」ボタン２３１が選択された状態で決定操作を行なうと、図２５の端末登録者画面が表示される。
【００９７】
図２５には、利用権を保有する端末の登録者を示す画面を表示している。図２２の「自分」２２４だけから図２５では「田中さん」２３７も追加されて表示される。図２５で「ＯＫ」ボタン９６を選択すると、図２６の利用権設定結果画面が表示される。
【００９８】
図２６に示される画面は、利用権の設定内容を確認するためのものであり、画像所有者が登録している電子的画像アルバム全て（２１６）を対象とした、画像閲覧の利用権及び画像の印刷注文の利用権（２１７）を、田中さん（２３９）の端末に設定したことを確認できる。また「ＯＫ」ボタン９６、及び「戻る」ボタン９７が表示されている。例えば、図２６の画面において、表示状態で設定するため、「ＯＫ」ボタン９６を選択すると表示の内容にて利用権が設定される。
【００９９】
図２３の画面が表示されている状態で、電話番号の入力によって追加端末の登録を行なうため「電話番号入力」ボタン２２８を選択すると図２７のように「電話番号入力」ボタン２２８が選択された状態（ハッチングで示すように表示色が変わっている）となる。図２７の「電話番号入力」ボタン２２８が選択された状態で決定操作を行なうと、図２８の電話番号入力による端末登録画面が表示される。
【０１００】
図２８には、電話番号入力による端末登録画面が表示されており、電話番号の入力領域２４１と、「ＯＫ」ボタン９６、及び「戻る」ボタン９７とが表示されている。入力領域２４１に電話番号を入力して、「ＯＫ」ボタンを選択した状態で決定操作を行なうと、図２９の端末登録者画面が表示される。
【０１０１】
図２９には、利用権を保有する端末の登録者を示す画面を表示している。図２２の「自分」２２４だけから図２９では電話番号入力した端末２４３も追加されて表示される。図２９で「ＯＫ」ボタン９６を選択すると、図３０の利用権設定結果画面が表示される。
【０１０２】
図３０に示される画面は、利用権の設定内容を確認するためのものであり、画像所有者が登録している電子的画像アルバム全て（２１６）を対象とした、画像閲覧の利用権及び画像の印刷注文の利用権（２１７）を、指定の電話番号の端末（２４５）に設定したことを確認できる。また「ＯＫ」ボタン９６、及び「戻る」ボタン９７が表示されている。例えば、図３０の画面において、表示状態で設定するため、「ＯＫ」ボタン９６を選択すると表示の内容にて利用権が設定される。
【０１０３】
図２３の画面が表示されている状態で、メール・アドレスの入力によって追加端末の登録を行なうため「メール・アドレス入力」ボタン２２９を選択すると図３１のように「メール・アドレス入力」ボタン２２９が選択された状態（ハッチングで示すように表示色が変わっている）となる。図３１の「メール・アドレス入力」ボタン２２９が選択された状態で決定操作を行なうと、図３２のメール・アドレス入力による端末登録画面が表示される。
【０１０４】
図３２は、メール・アドレス入力による端末登録画面を表示している。メール・アドレスの入力領域２４７と、「ＯＫ」ボタン９６、及び「戻る」ボタン９７とが表示されている。入力領域２４７にメール・アドレスを入力して、「ＯＫ」ボタンを選択した状態で決定操作を行なうと、図３３の端末登録者画面が表示される。
【０１０５】
図３３には、利用権を保有する端末の登録者を示す画面を表示している。図２２の「自分」２２４だけから図３３ではメール・アドレス入力した端末２４９も追加されて表示される。図３３で「ＯＫ」ボタン９６を選択すると、図３４の利用権設定結果画面が表示される。
【０１０６】
図３４に示される画面は、利用権の設定内容を確認するためのものであり、画像所有者が登録している電子的画像アルバム全て（２１６）を対象とした、画像閲覧の利用権及び画像の印刷注文の利用権（２１７）を、指定の電話番号の端末（２５１）に設定したことを確認できる。また「ＯＫ」ボタン９６、及び「戻る」ボタン９７が表示されている。例えば、図３４の画面において、表示状態で設定するため、「ＯＫ」ボタンを選択すると表示の内容にて利用権が設定される。
【０１０７】
図１４の画面が表示されている状態において、アクセスにあたりパスワード入力を要求しパスワード認証の上でアクセスを許可するよう設定するため、「パスワード認証者」ボタン２１５を選択すると図３５のように「パスワード認証者」ボタン２１５が選択された状態（ハッチングで示すように表示色が変わっている）となる。図３５の「パスワード認証者」ボタン２１５が選択された状態で決定操作を行なうと（ｆ４４）、図３６のパスワード設定画面が表示される。
【０１０８】
図３６に示される画面は、パスワードの設定を行なうためのものであり、パスワードの設定を行なう設定画面へとつながる「設定」ボタン２５３、パスワードの設定を削除する「削除」ボタン２５４、及び「ＯＫ」ボタン９６、及び「戻る」ボタン９７を表示している。例えば、図３６の画面において、パスワードを設定するため、「ＯＫ」ボタン９６を選択すると、図３７のパスワード入力設定画面が表示される。
【０１０９】
図３７に示される画面は、パスワードの入力設定を行なうためのものであり、パスワードの入力領域２５６、パスワードの確認用入力領域２５７、及び「ＯＫ」ボタン９６、及び「戻る」ボタン９７を表示している。例えば、図３７の画面において、パスワードの入力領域２５６、パスワードの確認用入力領域２５７に設定するパスワードを入力して「ＯＫ」ボタン９６を選択すると、図３８の利用権設定結果画面が表示される。
【０１１０】
図３８に示される画面は、利用権の設定内容を確認するためのものであり、画像所有者が登録している電子的画像アルバム全て（２１６）を対象とした、画像閲覧の利用権及び画像の印刷注文の利用権（２１７）を、設定したパスワード認証者（２５９）に設定したことを確認できる。また「ＯＫ」ボタン９６、及び「戻る」ボタン９７が表示されている。例えば、図３８の画面において、表示状態で設定するため、「ＯＫ」ボタン９６を選択すると表示の内容にて利用権が設定される。
【０１１１】
図１２の画面が表示されている状態において、画像閲覧についてのみ利用権を設定するため、「閲覧利用権」ボタン２０８を選択すると図３９のように「閲覧利用権」ボタン２０８が選択された状態（ハッチングで示すように表示色が変わっている）となる。図３９の「閲覧利用権」ボタン２０８が選択された状態で決定操作を行なうと（ｆ４３）、図１４の利用権設定画面が表示される。以降の詳細設定の動作は、設定できる利用権が画像閲覧のみに関するものとなる以外は上記したのと同じである。
【０１１２】
図１２の画面が表示されている状態において、画像印刷注文についてのみ利用権を設定するため、「印刷注文利用権」ボタン２０９を選択すると図４０のように「印刷注文利用権」ボタン２０９が選択された状態（ハッチングで示すように表示色が変わっている）となる。図４０の「印刷注文利用権」ボタン２０９が選択された状態で決定操作を行なうと（ｆ４３）、図１４の利用権設定画面が表示される。以降の詳細設定の動作は、設定できる利用権が画像印刷注文のみに関するものとなる以外は上記したのと同じである。
【０１１３】
図１０の画面が表示されている状態において、画像所有者が登録している電子的画像アルバム各々についての利用権を設定するため、「アルバム毎」ボタン２０４を選択すると図４１のように「アルバム毎」ボタン２０４が選択された状態（ハッチングで示すように表示色が変わっている）となる。図４１の「アルバム毎」ボタン２０４が選択された状態で決定操作を行なうと（ｆ４２）、図４２の利用権範囲設定画面が表示される。
【０１１４】
図４２に示される画面は、利用権の設定範囲を設定するためのものであり、画像所有者が登録している電子的画像アルバムの「アルバム▲１▼」ボタン２６１、「アルバム▲２▼」ボタン２６２、「アルバム▲３▼」ボタン２６３、「アルバム▲４▼」ボタン２６４、「アルバム▲５▼」ボタン２６５、及び「ＯＫ」ボタン９６、及び「戻る」ボタン９７を表示している。
【０１１５】
例えば、図４２の画面において、電子的画像アルバム▲１▼の利用権を設定するため、「アルバム▲１▼」ボタン２６１を選択すると図４３のように「アルバム▲１▼」ボタン２６１が選択された状態（ハッチングで示すように表示色が変わっている）となる。図４３の「アルバム▲１▼」ボタン２６１が選択された状態で決定操作を行なうと（ｆ４２）、図１２の利用権対象設定画面が表示される。以降の詳細設定の動作は、設定できる利用権の設定範囲が電子的画像アルバム▲１▼に限定されるものとなる以外は上記したのと同じである。また、電子的画像アルバム▲２▼〜電子的画像アルバム▲５▼の利用権を設定する場合も電子的画像アルバム▲１▼の利用権設定の操作と同様である。
【０１１６】
図１０の画面が表示されている状態において、画像所有者が登録している電子的画像アルバム内の特定の画像についての利用権を設定するため、「画像毎」ボタン２０５を選択すると図４４のように「画像毎」ボタン２０５が選択された状態（ハッチングで示すように表示色が変わっている）となる。図４４の「画像毎」ボタン２０５が選択された状態で決定操作を行なうと（ｆ４２）、図４５の利用権範囲設定画面が表示される。
【０１１７】
図４５に示される画面は、利用権の設定範囲を設定するためのものであり、画像所有者が登録している電子的画像アルバムの「アルバム▲１▼」ボタン２６１、「アルバム▲２▼」ボタン２６２、「アルバム▲３▼」ボタン２６３、「アルバム▲４▼」ボタン２６４、「アルバム▲５▼」ボタン２６５、「ＯＫ」ボタン９６、及び「戻る」ボタン９７を表示している。
【０１１８】
例えば、図４５の画面において、電子的画像アルバム▲１▼内の特定画像の利用権を設定するため、「アルバム▲１▼」ボタン２６１を選択すると図４６のように「アルバム▲１▼」ボタン２６１が選択された状態（ハッチングで示すように表示色が変わっている）となる。図４６の「アルバム▲１▼」ボタン２６１が選択された状態で決定操作を行なうと（ｆ４２）、図４７の電子的画像アルバム▲１▼の先頭画像の閲覧画面が表示される。
【０１１９】
図４７は、上記電子的画像アルバム▲１▼の画像１を閲覧できる画面で、表示部６１のうち上部６１ａに画像１が表示され、下部６１ｂの中央に「利用権」ボタン２６７、右側に右矢印ボタン８２、左側に左矢印ボタン８３が表示されている。
【０１２０】
例えば、図４７の画面において、「利用権」ボタン２６７の選択決定操作によって、図１２の利用権対象設定画面が表示される。以降の詳細設定の動作は、設定できる利用権の設定範囲が電子的画像アルバム▲１▼の画像１に限定されるものとなる以外は上記したのと同じである。
【０１２１】
例えば、図４７の画面において、右矢印ボタン８２の選択決定操作によって、図４８の電子的画像アルバム▲１▼の２番目の画像の閲覧画面が表示される。図４８は、上記電子的画像アルバム▲１▼の画像２を閲覧できる画面で、上部に画像２が表示され、下部中央に「利用権」ボタン２６７、右側に右矢印ボタン８２、左側に左矢印ボタン８３が表示されている。
【０１２２】
例えば、図４８の画面において、「利用権」ボタン２６７の選択決定操作によって、図１２の利用権対象設定画面が表示される。以降の詳細設定の動作は、設定できる利用権の設定範囲が電子的画像アルバム▲１▼の画像２に限定されるものとなる以外は上記したのと同じである。
【０１２３】
例えば、図４８の画面において、右矢印ボタン８２の選択決定操作によって、図４９の電子的画像アルバム▲１▼の３番目の画像の閲覧画面が表示される。図４９は、上記電子的画像アルバム▲１▼の画像３を閲覧できる画面で、上部に画像３が表示され、下部中央に「利用権」ボタン２６７、右側に右矢印ボタン８２、左側に左矢印ボタン８３が表示されている。
【０１２４】
例えば、図４９の画面において、「利用権」ボタン２６７の選択決定操作によって、図１２の利用権対象設定画面が表示される。以降の詳細設定の動作は、設定できる利用権の設定範囲が電子的画像アルバム▲１▼の画像３に限定されるものとなる以外は上記したのと同じである。
【０１２５】
例えば、図４９の画面において、右矢印ボタン８２の選択決定操作によって、図５０の電子的画像アルバム▲１▼の４番目の画像の閲覧画面が表示される。図５０、上記電子的画像アルバム▲１▼の画像４を閲覧できる画面で、上部に画像４が表示され、下部中央に「利用権」ボタン２６７、右側に右矢印ボタン８２、左側に左矢印ボタン８３が表示されている。
【０１２６】
例えば、図５０の画面において、「利用権」ボタン２６７の選択決定操作によって、図１２の利用権対象設定画面が表示される。以降の詳細設定の動作は、設定できる利用権の設定範囲が電子的画像アルバム▲１▼の画像４に限定されるものとなる以外は上記したのと同じである。
【０１２７】
例えば、図５０の画面において、右矢印ボタン８２の選択決定操作によって、図５１の電子的画像アルバム▲１▼の５番目の画像の閲覧画面が表示される。図５１、上記電子的画像アルバム▲１▼の画像５を閲覧できる画面で、上部に画像５が表示され、下部中央に「利用権」ボタン２６７、右側に右矢印ボタン８２、左側に左矢印ボタン８３が表示されている。また、電子的画像アルバム▲２▼〜電子的画像アルバム▲５▼内の特定画像の利用権を設定する場合も、上述の電子的画像アルバム▲１▼内の特定画像の利用権設定の操作と同様である。
【０１２８】
上記のような画像毎の利用権の設定を行なった結果の一例につき、図５２乃至図５４を参照して説明する。
【０１２９】
図５２は、電子的画像アルバムの一例である。この電子的画像アルバムは画像１、画像２、画像３、画像４、画像５の５枚の画像から構成される。図５３は上記電子的画像アルバムにおいて、ある利用者（例えば携帯電話３１の所有者）が画像アルバムを閲覧できる利用権を有している画像を示す。画像１、画像２、画像４、画像５に対して利用者は画像アルバムを閲覧できる利用権を有している。画像３に対して利用者は画像アルバムを閲覧できる利用権を有していない。図５４は上記電子的画像アルバムにおいて上記と同じ利用者が画像アルバムを印刷注文できる利用権を有している画像を示す。画像１、画像４、画像５に対して利用者は画像アルバムを印刷注文できる利用権を有している。画像２、画像３に対して利用者は画像アルバムを閲覧できる利用権を有していない。
【０１３０】
次に電子画像アルバムの閲覧及び印刷注文を行なう場合の動作について説明する。携帯電話３０に図９のような表示が行なわれているときに「閲覧」ボタン２０１を選択して決定操作を行なうことにより、画像の閲覧及び印刷注文を行なうことができる。閲覧及び印刷注文はまた、画像の所有者からアルバムのホームページのＵＲＬを紹介された他の者がその携帯電話、例えば携帯電話３１、３２、３３などを用いてそのＵＲＬにアクセスした場合にも行なわれる。
【０１３１】
これらのいずれかの操作が行なわれると、携帯電話３０、または３１、３２、３３などは上記アルバムの先頭ページのＵＲＬをパケット通信で回線処理装置２４に送信する（ｆ３０）。この閲覧要求は、回線処理装置２４からバス２５を経てサーバ装置２２から発信され、インターネット５０を介して、該当するサーバ装置４で受信される。
【０１３２】
以下、閲覧要求が携帯電話３１から発せられたものとして説明する。最初に、その携帯電話３１の利用者が閲覧及び印刷注文に関し全面的な利用権を有している場合について説明する。また、以下の例では、利用権が画像毎に設定されており、さらに利用権が図１４の画面の端末登録者ボタン２１４によって登録されたもののみであり、従って利用権の有無が通信端末識別データのみによって判定されるものとする。
【０１３３】
画像管理システム１０は、携帯電話３１からの通信がアルバムの先頭の画像（画像１）の閲覧要求であることを確認すると、利用権を確認するために、閲覧要求をした携帯電話３１に対し、その通信端末識別データを送るよう要求する。即ち、一連のパケット通信の手順にしたがって識別データ送信要求を送る。携帯電話３１は、自身の通信端末識別データを一連のパケット通信の手順にしたがって応答する。画像管理システム１０は、受信した携帯電話３１の通信端末識別データを確認して、各識別データに関連付けて保存されている利用権に関する情報を参照して、利用権の有無、その内容を参照し、画像閲覧の利用権を有することを確認する（ｆ３２）。次に画像管理システム１０は、受信した携帯電話３１の通信端末識別データを確認して、画像印刷注文の利用権を有することを確認する（ｆ３２）。
【０１３４】
画像管理システム１０は、印刷ボタン８１を表示するＨＴＭＬファイルを構成して関連ファイルと共に送信する（ｆ３３）。上記ＨＴＭＬファイル及び関連ファイルは、インターネット５０を介して、通信事業者２０のサーバ装置２２で受信される。サーバ装置２２で受信した上記ＨＴＭＬファイル及び関連ファイルは、バス２５を経て回線処理装置２４からパケット通信として例えば携帯電話３１に送信される。この結果、携帯電話３１の表示部には例えば、図５５に示される画面が表示される。
【０１３５】
図５５に示すように、この画面は、表示部６１のうちの上部の画像表示領域６１ａにアルバムの最初のページの一部を構成する画像を表示し、下部のボタン表示領域６１ｂにボタンを表示している。ボタン表示領域６１ｂの中央に印刷ボタン８１、右側に右矢印ボタン８２、左側に左矢印ボタン８３が設けられている。利用者が、表示されている画像の印刷を希望する場合には後述のように、印刷ボタン８１を選択して、決定操作を行なう。
【０１３６】
アルバム中の別の画像の閲覧を希望する場合には、右矢印ボタン８２又は左矢印ボタン８３を選択して決定操作を行なう（ｆ３４）。図５５に示すように、右矢印ボタン８２を選択して（選択されると例えば図にハッチングで示すように表示色が変わるようになっている）、決定操作を行なうと、画像アルバムの次のページ（次の画像を含むものであり、次のページの選択により発生されるＵＲＬで指定される）へのアクセスが行なわれる（ｆ３５）。このアクセスは、画像アルバムの次のページの閲覧の申込みとしてインターネット５０を介して画像管理システム１０に伝えられる。
【０１３７】
この場合も、画像管理システム１０は、携帯電話３１からの通信が、指定された画像（例えば画像２）の閲覧要求であることを確認し、利用権を確認するために、携帯電話３１への上記通信端末識別データの要求を、一連のパケット通信の手順にしたがって送信する。携帯電話３１は、自身の通信端末識別データを一連のパケット通信の手順にしたがって応答する。画像管理システム１０は、受信した携帯電話３１の通信端末識別データを確認して、画像閲覧の利用権を有することを確認する（ｆ３１）。次に画像管理システム１０は、受信した携帯電話３１の通信端末識別データを確認して、画像印刷注文の利用権を有することを確認する（ｆ３２）。画像管理システム１０は、印刷ボタン８１を表示するＨＴＭＬファイルを構成して関連ファイルと共に携帯電話３１に送信する（ｆ３３）。この結果、携帯電話３１の表示部には例えば、図５６に示される画面が表示される。
【０１３８】
図５６は、上記電子的画像アルバムの画像２を閲覧できる画面で、右矢印ボタン８２の選択決定操作によって、上記電子的画像アルバムの画像３の閲覧を要求できる（ｆ３４）。
【０１３９】
アルバム中の次の画像（画像３）の閲覧を希望する場合には、図５６に示すように、右矢印ボタン８２を選択して決定操作を行なう（ｆ３４）。これに対し、画像管理システム１０は、携帯電話３１からの通信が画像の閲覧要求であることを確認し、利用権を確認するために、携帯電話３１への上記通信端末識別データの要求を、一連のパケット通信の手順にしたがって送信する。携帯電話３１は、自身の通信端末識別データを一連のパケット通信の手順にしたがって応答する。画像管理システム１０は、受信した携帯電話３１の通信端末識別データを確認して、画像閲覧の利用権を有することを確認する（ｆ３１）。次に画像管理システム１０は、受信した携帯電話３１の通信端末識別データを確認して、画像印刷注文の利用権を有することを確認する（ｆ３２）。画像管理システム１０は、印刷ボタン８１を表示するＨＴＭＬファイルを構成して関連ファイルと共に携帯電話３１に送信する（ｆ３３）。この結果、携帯電話３１の表示部には例えば、図５７に示される画面が表示される。
【０１４０】
図５７は、上記電子的画像アルバムの画像３を閲覧できる画面で、右矢印ボタン８２の選択決定操作によって、上記電子的画像アルバムの画像４の閲覧を要求できる（ｆ３４）。
【０１４１】
アルバム中の次の画像（画像４）の閲覧を希望する場合には、図５７に示すように、右矢印ボタン８２を選択して決定操作を行なう（ｆ３４）。これに対し、上記電子的画像アルバムの画像４の閲覧画面にアクセスする（ｆ３５）。画像管理システム１０は、携帯電話３１からの通信が画像の閲覧要求であることを確認し、利用権を確認するために、携帯電話３１への上記通信端末識別データの要求を、一連のパケット通信の手順にしたがって送信する。携帯電話３１は、自身の通信端末識別データを一連のパケット通信の手順にしたがって応答する。画像管理システム１０は、受信した携帯電話３１の通信端末識別データを確認して、画像閲覧の利用権を有することを確認する（ｆ３１）。次に画像管理システム１０は、受信した携帯電話３１の通信端末識別データを確認して、画像印刷注文の利用権を有することを確認する（ｆ３２）。画像管理システム１０は、印刷ボタン８１を表示するＨＴＭＬファイルを構成して関連ファイルと共に携帯電話３１に送信する（ｆ３３）。この結果、携帯電話３１の表示部には例えば、図５８に示される画面が表示される。
【０１４２】
図５８は、上記電子的画像アルバムの画像４を閲覧できる画面で、右矢印ボタン８２の選択決定操作によって、上記電子的画像アルバムの画像５の閲覧を要求できる（ｆ３４）。
【０１４３】
アルバム中の次の画像（画像５）の閲覧を希望する場合には、図５８に示すように、右矢印ボタン８２を選択して決定操作を行なう（ｆ３４）。これに対し上記画像管理システム１０は、携帯電話３１からの通信が画像の閲覧要求であることを確認し、利用権を確認するために、携帯電話３１への上記通信端末識別データの要求を、一連のパケット通信の手順にしたがって送信する。携帯電話３１は、自身の通信端末識別データを一連のパケット通信の手順にしたがって応答する。画像管理システム１０は、受信した携帯電話３１の通信端末識別データを確認して、画像閲覧の利用権を有することを確認する（ｆ３１）。次に画像管理システム１０は、受信した携帯電話３１の通信端末識別データを確認して、画像印刷注文の利用権を有することを確認する（ｆ３２）。画像管理システム１０は、印刷ボタン８１を表示するＨＴＭＬファイルを構成して関連ファイルと共に携帯電話３１に送信する（ｆ３３）。この結果、携帯電話３１の表示部には例えば、図５９に示される画面が表示される。図５９は、上記電子的画像アルバムの画像５を閲覧できる画面である。
【０１４４】
以上のように、上記電子的画像アルバムに対して、利用者が全面的な利用権を有している場合には、図５５乃至図５９のように画像１、画像２、画像３、画像４、画像５の順番で順に閲覧可能であるし、各々の画像の閲覧画面から後述のようにして印刷注文を行なうことも可能である。
【０１４５】
なお、例えば図５８において、左矢印ボタン８３を選択して、決定操作を行なったとすると（ｆ３４）、この決定操作により発生されるＵＲＬにより画像アルバムの前のページへのアクセスが行なわれる（ｆ３８）。その結果、携帯電話３１の表示部には再び図５７の画面が表示される。ここで説明に使用した図５５、図５６、図５７、図５８、図５９のページは、撮像画像に基づいて作られる画像アルバムの例である。このように、現在表示されている画像から矢印ボタン（８２、８３）を用いて一連の画像を順番に辿っていくことで画像アルバムに登録された画像を順に閲覧できる。
【０１４６】
なおまた、画像アルバムの画像の選択（表示されている画像の変更）のための操作として例えば矢印状の三角形のボタンの表示が用いられるものとして説明したが、他のユーザインタフェースを用いても良い。
【０１４７】
例えば、携帯電話３１の表示部に図５５のページが表示されている時に、図６０にハッチングで示すように、「印刷」ボタン８１を選択して、決定操作を行なうと、この画像の印刷注文を行なうことができる。これ以降の印刷のための処理については、後に詳しく説明する。
【０１４８】
次に、携帯電話３１の利用者が、図５３のように画像１、画像２、画像４、画像５に対する閲覧利用権を有し、図５４のように画像１、画像４、画像５に対する印刷注文利用権を有する場合の動作を、図６１乃至図６４を参照して説明する。
【０１４９】
例えば携帯電話３１の利用者は、上記と同様画像所有者から紹介された電子的画像アルバムのＵＲＬを用いて、上記電子的画像アルバムの画像１の閲覧画面にアクセスする（ｆ３０）。画像管理システム１０は、携帯電話３１からの通信が画像の閲覧要求であることを確認し、利用権を確認するために、携帯電話３１への上記通信端末識別データの要求を、一連のパケット通信の手順にしたがって送信する。携帯電話３１は、自身の通信端末識別データを一連のパケット通信の手順にしたがって応答する。画像管理システム１０は、受信した携帯電話３１の通信端末識別データを確認して、画像閲覧の利用権を有することを確認する（ｆ３１）。次に画像管理システム１０は、受信した携帯電話３１の通信端末識別データを確認して、画像印刷注文の利用権を有することを確認する（ｆ３２）。画像管理システム１０は、印刷ボタン８１を表示するＨＴＭＬファイルを構成して関連ファイルと共に携帯電話３１に送信する（ｆ３３）。この結果、携帯電話３１の表示部には例えば、図６１に示される画面が表示される。
【０１５０】
図６１は、上記電子的画像アルバムの画像１を閲覧できる画面で、右矢印ボタン８２の選択決定操作によって、上記電子的画像アルバムの画像２の閲覧を要求できる（ｆ３４）。
【０１５１】
画像２の閲覧要求があると、上記電子的画像アルバムの画像２の閲覧画面にアクセスする（ｆ３５）。画像管理システム１０は、携帯電話３１からの通信が画像の閲覧要求であることを確認し、利用権を確認するために、携帯電話３１への上記通信端末識別データの要求を、一連のパケット通信の手順にしたがって送信する。携帯電話３１は、自身の通信端末識別データを一連のパケット通信の手順にしたがって応答する。画像管理システム１０は、受信した携帯電話３１の通信端末識別データを確認して、画像閲覧の利用権を有することを確認する（ｆ３１）。次に画像管理システム１０は、受信した携帯電話３１の通信端末識別データを確認して、画像印刷注文の利用権は有していないことを確認する（ｆ３２）。画像管理システム１０は、印刷ボタン８１を表示しないＨＴＭＬファイルを構成して関連ファイルと共に携帯電話３１に送信する（ｆ３６）。この結果、携帯電話３１の表示部には例えば、図６２に示される画面が表示される。
【０１５２】
図６２は、上記電子的画像アルバムの画像２を閲覧できる画面で、図６１の印刷ボタン８１が表示されておらず、画像の印刷注文は出来ない。右矢印ボタン８２の選択決定操作によって、上記電子的画像アルバムの画像３の閲覧を要求できる（ｆ３７）。
【０１５３】
画像３の閲覧要求があると、上記電子的画像アルバムの画像３の閲覧画面にアクセスする（ｆ３５）。画像管理システム１０は、携帯電話３１からの通信が画像の閲覧要求であることを確認し、利用権を確認するために、携帯電話３１への上記通信端末識別データの要求を、一連のパケット通信の手順にしたがって送信する。携帯電話３１は、自身の通信端末識別データを一連のパケット通信の手順にしたがって応答する。画像管理システム１０は、受信した携帯電話３１の通信端末識別データを確認して、画像閲覧の利用権は有していないことを確認する（ｆ３１）。次に画像管理システム１０は、受信した携帯電話３１の通信端末識別データを確認して、画像印刷注文の利用権は有していないことを確認する（ｆ３２）。画像管理システム１０は上記電子的画像アルバムの画像３の閲覧画面の表示をパスする。即ち、拒否されたのが次画面へのアクセス（ｆ３５）であったか、前画面へのアクセス（ｆ３４）であったかに応じて（ｆ３９）、さらに次の画面または前の画面へのアクセスを行なう（ｆ３５、ｆ３８）。
【０１５４】
本例では、拒否されたのが次画面である画像３へのアクセスであったので、その次の画面、即ち画像４へのアクセスを行なう（ｆ３５）。画像管理システム１０は、携帯電話３１からの通信が画像の閲覧要求であることを確認し、利用権を確認するために、携帯電話３１への上記通信端末識別データの要求を、一連のパケット通信の手順にしたがって送信する。携帯電話３１は、自身の通信端末識別データを一連のパケット通信の手順にしたがって応答する。画像管理システム１０は、受信した携帯電話３１の通信端末識別データを確認して、画像閲覧の利用権を有することを確認する（ｆ３１）。次に画像管理システム１０は、受信した携帯電話３１の通信端末識別データを確認して、画像印刷注文の利用権を有することを確認する（ｆ３２）。画像管理システム１０は、印刷ボタン８１を表示するＨＴＭＬファイルを構成して関連ファイルと共に携帯電話３１に送信する（ｆ３３）。この結果、携帯電話３１の表示部には例えば、図６３に示される画面が表示される。
【０１５５】
図６３は、上記電子的画像アルバムの画像４を閲覧できる画面で、右矢印ボタン８２の選択決定操作によって、上記電子的画像アルバムの画像５の閲覧を要求できる（ｆ３４）。
【０１５６】
画像５の閲覧要求があると、上記電子的画像アルバムの画像５の閲覧画面にアクセスする（ｆ３５）。画像管理システム１０は、携帯電話３１からの通信が画像の閲覧要求であることを確認し、利用権を確認するために、携帯電話３１への上記通信端末識別データの要求を、一連のパケット通信の手順にしたがって送信する。携帯電話３１は、自身の通信端末識別データを一連のパケット通信の手順にしたがって応答する。画像管理システム１０は、受信した携帯電話３１の通信端末識別データを確認して、画像閲覧の利用権を有することを確認する（ｆ３１）。次に画像管理システム１０は、受信した携帯電話３１の通信端末識別データを確認して、画像印刷注文の利用権を有することを確認する（ｆ３２）。画像管理システム１０は、印刷ボタン８１を表示するＨＴＭＬファイルを構成して関連ファイルと共に携帯電話３１に送信する（ｆ３６）。この結果、携帯電話３１の表示部には例えば、図６４に示される画面が表示される。図６４は、上記電子的画像アルバムの画像５を閲覧できる画面である。
【０１５７】
以上のように、上記電子的画像アルバムに対して、利用者が図５３のように画像１、画像２、画像４、画像５に対する閲覧利用権を有し、図５４のように画像１、画像４、画像５に対する印刷注文利用権を有する利用者の場合、画像１、画像２、画像４、画像５の順番で順に閲覧可能で、画像３は存在しないものとして扱われる。また、印刷注文の利用権を有しない画像２には印刷ボタン８１は表示されず、印刷注文の利用権を有する画像１、画像４、画像５のみに印刷ボタン８１が表示される。
【０１５８】
上記の例では、通信端末識別データのみによって利用権の有無が判定されるが、通信端末識別データによって利用権を認めるのに加えて、正しいパスワードが入力されたら、利用を認める設定をすることも可能である。以下、そのような設定をした場合の動作を図６５を参照して説明する。
【０１５９】
図６５は、図５と概して同じである。異なるのは、ステップｆ３１、ｆ３２がそれぞれステップｆ５１、ｆ５２で置き換えられ、ステップｆ５３、ｆ５４が付加されている点である。
【０１６０】
ステップｆ５１は、「利用権有り」、「利用権無し」のほかパスワードが正しく入力された場合に利用権を認めるための「パスワード要」の判定結果乃至分岐を有する。ステップｆ５１でパスワード要と判定されたときは、ステップｆ５３に進む。ステップｆ５３は、パスワードのチェックを行なう。ステップｆ５２は、「利用権有り」、「利用権無し」のほかパスワードが正しく入力された場合に利用権を認めるための「パスワード要」の判定結果乃至分岐を有する。ステップｆ５２でパスワード要と判定されたときは、ステップｆ５４に進む。ステップｆ５４は、パスワードのチェックを行なう。
【０１６１】
図６６は、ステップｆ５３の内容を示す。図示のように、最初にパスワードの入力を促す（ｆ６１）。そのため、画像管理システム１０は、携帯電話３１に、パスワードの入力等を促すための画面（その一例を図７０に示す）を送信し、その表示部に表示させる。これに対して、利用者は、「パスワードの入力」２７１、「次画像」２７３、または「戻る」２７４を選択することができる（ｆ６２）。パスワード認証を受ける場合には、パスワード入力領域２７２にパスワードを入力して決定操作を行なう。入力されたパスワードは管理システム１０に送信されてチェックされる（ｆ６３）。正しければ、ステップｆ３２に進む。間違っていれば、再び図７０の画面が表示され、パスワードの再入力を促す。これに応じて再入力を行なう。再入力されたパスワードも間違っていれば、再び図７０の画面が表示され、パスワードの再入力（３度目の入力）を促す。これに応じて再入力を行なう。このような処理を所定回数例えば３回繰り返しても正しいパスワードが入力されないときは（ｆ６４）、ステップｆ３９に進む。
【０１６２】
図７０の画面で、パスワードを知らないときは、「次画像」２７３を選択して決定操作を行なうことにより、ステップｆ３５に進み、次の画像へのアクセスを行ない、または「戻る」を選択して決定操作を行なうことにより、ステップｆ３８に進み、一つ前の画像へのアクセスを行なうことができる。
【０１６３】
図６７は、ステップｆ５４の内容を示す。図示のように、最初にパスワードの入力を促す（ｆ７１）。そのため、画像管理システム１０は、携帯電話３１に、パスワードの入力等を促すための画面（その一例を図７３に示す）を送信し、その表示部に表示させる。これに応じて、利用者は、「パスワードの入力」２８１、又は「閲覧のみ」２８３を選択することができる。即ち、パスワード認証を受ける場合には、パスワード入力領域２８２にパスワードを入力して決定操作を行なう。入力されたパスワードはシステム１０に送信されてチェックされる。正しければ、ステップｆ３３に進む。間違っていれば、再び図７３の画面が表示され、パスワードの再入力を促す。これに応じて再入力を行なう。再入力されたパスワードも間違っていれば、再び図７３の画面が表示され、パスワードの再入力（３度目の入力）を促す。これに応じて再入力を行なう。このような処理を所定回数例えば３回繰り返しても正しいパスワードが入力されないときは（ｆ７４）、ステップｆ３６に進む。
【０１６４】
図７３の画面で、パスワードを知らないときは、「閲覧のみ」を選択して決定操作を行なうことにより、ステップｆ３６に進み、印刷ボタンの表示のない画像を閲覧することができる。
【０１６５】
以下、上記のようなパスワードチェックを行なって複数の画像を順次閲覧する場合の動作を図６８乃至図７３を参照して説明する。
【０１６６】
以下の例では、上記電子的画像アルバムの画像１乃至５のうち画像３についてのみ画像の閲覧にパスワード認証が必要であるものとする。
【０１６７】
最初に、上記電子的画像アルバムの画像１の閲覧画面に対しアクセスが行なわれたものとする（ｆ３０）。画像管理システム１０は、携帯電話３１からの通信が画像の閲覧要求であることを確認し、利用権を確認するために、携帯電話３１への上記通信端末識別データの要求を、一連のパケット通信の手順にしたがって送信する。携帯電話３１は、自身の通信端末識別データを一連のパケット通信の手順にしたがって応答する。画像管理システム１０は、受信した携帯電話３１の通信端末識別データを確認して、画像閲覧及び印刷注文の利用権を有することを確認する（ｆ５１、ｆ５２）。画像管理システム１０は、画像閲覧のためのＨＴＭＬファイルを構成して関連ファイルと共に携帯電話３１に送信する（ｆ３３）。この結果、携帯電話３１の表示部には例えば、図６８に示される画面が表示される。
【０１６８】
図６８は、上記電子的画像アルバムの画像１を閲覧できる画面で、右矢印ボタン８２の選択決定操作によって、上記電子的画像アルバムの画像２の閲覧を要求できる。
【０１６９】
次に、上記電子的画像アルバムの画像２の閲覧画面に対しアクセスが行なわれたものとする（ｆ３０）。画像管理システム１０は、携帯電話３１からの通信が画像の閲覧要求であることを確認し、利用権を確認するために、携帯電話３１への上記通信端末識別データの要求を、一連のパケット通信の手順にしたがって送信する。携帯電話３１は、自身の通信端末識別データを一連のパケット通信の手順にしたがって応答する。画像管理システム１０は、受信した携帯電話３１の通信端末識別データを確認して、画像閲覧及び印刷注文の利用権を有することを確認する（ｆ５１、ｆ５２）。画像管理システム１０は、画像閲覧のためのＨＴＭＬファイルを構成して関連ファイルと共に携帯電話３１に送信する（ｆ３３）。この結果、携帯電話３１の表示部には例えば、図６９に示される画面が表示される。
【０１７０】
図６９は、上記電子的画像アルバムの画像２を閲覧できる画面で、右矢印ボタン８２の選択決定操作によって、上記電子的画像アルバムの画像３の閲覧を要求できる。
【０１７１】
次に、上記電子的画像アルバムの画像３の閲覧画面に対し、アクセスが行なわれたものとする（ｆ３０）。画像管理システム１０は、携帯電話３１からの通信が画像の閲覧要求であることを確認し、利用権を確認するために、携帯電話３１への上記通信端末識別データの要求を、一連のパケット通信の手順にしたがって送信する。携帯電話３１は、自身の通信端末識別データを一連のパケット通信の手順にしたがって応答する。画像管理システム１０は、受信した携帯電話３１の通信端末識別データを確認して、画像閲覧にあたりパスワード認証が必要なことを確認する（ｆ５１）。画像管理システム１０は、パスワード入力のためのＨＴＭＬファイルを構成して関連ファイルと共に携帯電話３１に送信する。この結果、携帯電話３１の表示部には例えば、図７０に示される画面が表示される（ｆ６１）。
【０１７２】
図７０において、パスワードを入力した上で「ＯＫ」ボタン９６の選択決定操作により、入力したパスワードは、携帯電話３１から送信される（ｆ６２）。画像管理システム１０は、パスワードを確認して正しいパスワードか否か確認する（ｆ６３）。パスワードが正しい場合、次に、印刷注文にあたりパスワード認証が必要なことを確認する（ｆ５２）。画像管理システム１０は、パスワード入力のためのＨＴＭＬファイルを構成して関連ファイルと共に携帯電話３１に送信する。この結果、携帯電話３１の表示部には例えば、図７３に示される画面が表示される（ｆ７１）。
【０１７３】
図７３において、パスワードを入力した上で「ＯＫ」ボタン９６の選択決定操作により、入力したパスワードは、携帯電話３１から送信される（ｆ７２）。画像管理システム１０は、パスワードを確認して正しいパスワードか否か確認する（ｆ７３）。パスワードが正しい場合、図７１のような次の画像、例えば画像３を閲覧できる画面を表示する（ｆ３３）。
【０１７４】
ステップｆ５２で印刷注文利用権がないと判断された場合、又はステップｆ５４でＮＧの場合（正しいパスワードが入力されない場合、又は「閲覧のみ」が選択された場合）には、ステップｆ３６に進み、図７２に示すような、印刷ボタンが表示されない画像の表示を行なう。
【０１７５】
なお、上記の実施の形態では、画像閲覧利用権の有無及び印刷注文利用権の有無を判定し、画像閲覧利用権があって印刷注文利用権がない場合には、印刷ボタンのない画像表示を行なっているが、画像表示に際は、印刷注文権の有無はチェックせず、印刷注文があったときに始めて印刷注文権の有無をチェックすることとしても良い。この場合、印刷注文権のチェックは例えば図６のステップｆ７の直前で行なう。
【０１７６】
以下、このような場合の動作を図７４乃至図７８を参照して説明する。この例では、画像の閲覧に関しては、通信端末識別データによる判別のみを行ない、パスワードによる利用権を認めないものとする。
【０１７７】
図７４は、画像管理システム１０による、画像閲覧のための画像提供、印刷注文受付けなどの動作を説明するフローチャートであり、概して図５と同様である。しかし、図５のステップｆ３２、ｆ３６、及びｆ３７が設けられておらず、ステップｆ３１で、閲覧利用権有りとの判定がなされると、ステップｆ３３に進む。
【０１７８】
図７５は、図６７と類似である。即ち、図７５のステップｆ８１乃至ｆ８４はそれぞれ図６７のステップｆ７１乃至ｆ７４と類似である。しかし、ステップｆ８０が加えられている点、ステップｆ８１によるパスワード入力の案内のための図７３の画面の代わりに図７８の画面が表示される点、及び印刷不要の場合には、直前の閲覧画面に戻る点で異なる。
【０１７９】
以下の例では、上記電子的画像アルバムの画像２についてのみ画像の印刷注文に関しパスワード認証が必要であるものとする。
【０１８０】
最初に、上記電子的画像アルバムの画像１の閲覧画面に対しアクセスが行なわれるものとする（ｆ３０）。画像管理システム１０は、携帯電話３１からの通信が画像の閲覧要求であることを確認し、利用権を確認するために、携帯電話３１への上記通信端末識別データの要求を、一連のパケット通信の手順にしたがって送信する。携帯電話３１は、自身の通信端末識別データを一連のパケット通信の手順にしたがって応答する。画像管理システム１０は、受信した携帯電話３１の通信端末識別データを確認して、画像閲覧の利用権を有することを確認する（ｆ３１）。画像管理システム１０は、画像閲覧のためのＨＴＭＬファイルを構成して関連ファイルと共に携帯電話３１に送信する（ｆ３３）。この結果、携帯電話３１の表示部には例えば、図７６に示される画面が表示される。
【０１８１】
図７６は、上記電子的画像アルバムの画像１を閲覧できる画面で、右矢印ボタン８２の選択決定操作によって、上記電子的画像アルバムの画像２の閲覧を要求できる。印刷ボタン８１の選択決定操作によって、上記電子的画像アルバムの画像１の印刷を注文できる。
【０１８２】
次に、上記電子的画像アルバムの画像２の閲覧画面に対するアクセスが行なわれるものとする（ｆ３４）。画像管理システム１０は、携帯電話３１からの通信が画像の閲覧要求であることを確認し、利用権を確認するために、携帯電話３１への上記通信端末識別データの要求を、一連のパケット通信の手順にしたがって送信する。携帯電話３１は、自身の通信端末識別データを一連のパケット通信の手順にしたがって応答する。画像管理システム１０は、受信した携帯電話３１の通信端末識別データを確認して、画像閲覧の利用権を有することを確認する（ｆ３１）。画像管理システム１０は、画像閲覧のためのＨＴＭＬファイルを構成して関連ファイルと共に携帯電話３１に送信する（ｆ４０）。この結果、携帯電話３１の表示部には例えば、図７７に示される画面が表示される。
【０１８３】
図７７は、上記電子的画像アルバムの画像２を閲覧できる画面で、右矢印ボタン８２の選択決定操作によって、上記電子的画像アルバムの画像３の閲覧を要求できる。印刷ボタン８１の選択決定操作によって、上記電子的画像アルバムの画像２の印刷を注文できる。
【０１８４】
次に上記電子的画像アルバムの画像２の印刷注文画面（図７９）に対するアクセスが行なわれたものとする（ｆ３４）。画像管理システム１０は、携帯電話３１からの通信が画像の印刷注文であることを確認し、利用権を確認するために、携帯電話３１への上記通信端末識別データの要求を、一連のパケット通信の手順にしたがって送信する。携帯電話３１は、自身の通信端末識別データを一連のパケット通信の手順にしたがって応答する。画像管理システム１０は、受信した携帯電話３１の通信端末識別データを確認して、画像の印刷注文にあたり無条件で印刷注文が認められるか、パスワード入力が必要か、利用権がないかの判定を行なう（ｆ８０）。無条件に利用権があるときは、ステップｆ７に進む。利用権がないときは、直前の閲覧画面（図７７）に戻る（ｆ３３）。（なお、閲覧画面に戻る代わりに、印刷注文利用権がないと言う旨のメッセージを表示するようにしても良い。）パスワード入力が必要な場合には、画像管理システム１０は、パスワード入力のためのＨＴＭＬファイルを構成して関連ファイルと共に携帯電話３１に送信する（ｆ８１）。この結果、携帯電話３１の表示部には例えば、図７８に示される画面が表示される。
【０１８５】
図７８に示す画面において、利用者は、「パスワードの入力」２８１、又は「印刷不要」２８５を選択することができる。即ち、パスワード認証を受ける場合には、パスワード入力領域２８２にパスワードを入力した上で「ＯＫ」ボタン９６の選択決定操作を行なうと（ｆ８２）、入力されたパスワードは、携帯電話３１から送信される。画像管理システム１０は、パスワードを確認して正しいパスワードか否か確認する（ｆ８３）。パスワードが正しい場合、図７９のような印刷設定画面を表示する（ｆ７）。図７８の画面で、利用者が、「印刷不要」２８５を選択して決定操作を行なった場合には、元の閲覧画面に戻る。図７８の画面で、入力されたパスワードが間違っていれば、再び図７８の画面が表示され、パスワードの再入力を促す。これに応じて再入力を行なう。再入力されたパスワードも間違っていれば、再び図７８の画面が表示され、パスワードの再入力（３度目の入力）を促す。これに応じて再入力を行なう。このような処理を所定回数例えば３回繰り返しても正しいパスワードが入力されないときは（ｆ８４）、ステップｆ３３に戻り、直前の閲覧画面（図７７）を表示させる。なお、元の閲覧画面の代わりに印刷注文が許されないメッセージを含む画面を表示させることとしても良い。
【０１８６】
上記の説明では、閲覧画面へのアクセス毎に、また印刷注文画面へのアクセス毎に（画像毎に）、利用権の確認を行なうようなシステムを例に説明したが、最初のアクセスで画像管理システム１０が通信端末識別データを入手して先に当該の携帯電話の利用権を把握して、送受信回数を削減して応答を早くしても良い。
【０１８７】
また、携帯電話側からの閲覧画面要求あるいは、印刷注文画面要求のコマンドは、通信端末識別データも含むコマンド構成として送信することにより、送受信回数を削減して応答を早くしても良い。
【０１８８】
なお、上記の例では、パスワードによる認証方式を例に動作を説明したが、認証方式としては、パスワード認証に限らず指紋認証や虹彩認証など、他の認証方式でも良い。
【０１８９】
次に、印刷動作について説明する。印刷動作は、例えば、携帯電話３１の表示部に、図５５乃至図５９、図６１、乃至図６４等のページが表示されている時に、図６０にハッチングで示すように、「印刷」ボタン８１を選択して、決定操作を行なうことにより開始される。即ち、この決定操作により発生されるＵＲＬにより画像アルバムの印刷設定ページへのアクセスが行なわれる。この場合も、印刷設定ページを示すＵＲＬが画像管理システム１０に送られ、画像管理システム１０では、送られたＵＲＬで指定されたページを送る（ｆ７）。
【０１９０】
その結果、携帯電話３１の表示部には送られたページが図７９に示すような画面として表示される。図７９に示される画面（印刷設定画面）は、印刷の条件を設定乃至変更するためのものであり、それぞれ印刷条件の各項目である、「枚数」ボタン９１、「サイズ」ボタン９２、「用紙種類」ボタン９３、及び「送付先」ボタン９４を表示するとともに、「注文」ボタン９５、「ＯＫ」ボタン９６、及び「戻る」ボタン９７を表示している。
【０１９１】
印刷条件の各項目（ボタン９１乃至９４）は最初は既定値（デフォルト値）となっている。図７９には、印刷枚数は１枚、用紙サイズはＬサイズ、用紙はツヤ有り／縁無し、送付先は自分とする既定値の例を示している。
【０１９２】
例えば、図７９の既定値で満足できる（既定値が要求に合致しており、変更すべき印刷条件項目がない）場合、図８０にハッチングで示すように、「注文」ボタン９５を選択して、決定操作を行なうと、注文操作を行なった携帯電話の（識別データとしての）電話番号、印刷の対象となる画像の識別符号を含む印刷注文データがサーバ装置４に送信される。サーバ装置４は、送られてきたデータが印刷条件確定を示し、従って印刷実行を要求するものであると判断すると（ｆ８）、注文データを印刷装置５及び管理装置６に送信し（ｆ９）これにより印刷指示を与える。印刷装置５、及び管理装置６ではこれに基づき印刷を実行する。これについては後に詳述する。
【０１９３】
図７９の設定で、例えば印刷枚数を「１」から「２」に変更したい場合、図８１にハッチングで示すように、「枚数」ボタン９１を選択して、決定操作を行なうと、この決定操作により発生されるＵＲＬにより印刷枚数の変更のためのページへのアクセスが行なわれる。これに応じて、管理システム１０は、送られたＵＲＬで指定される、枚数変更のためのページを携帯電話３１に送信する（ｆ８、ｆ１０）。
【０１９４】
その結果、携帯電話３１の表示部には送られたページが図８２に示される画面として表示される。図８２に示される画面は、印刷条件の一つの項目である、印刷枚数を変更するためのものであり、「枚数」表示部分１０１、「上矢印」ボタン１０２、「下矢印」ボタン１０３、「ＯＫ」ボタン９６、及び「戻る」ボタン９７を含む。印刷枚数の既定値は１枚となっている。図８２にハッチングで示すように、上矢印１０２を選択して、決定操作を行なうと、枚数は２枚と表示される。図８３にハッチングで示すように、「ＯＫ」ボタン９６を選択して、決定操作を行なうと、印刷設定ページを指定するＵＲＬとともに枚数データがサーバ装置４に送信され、送信されたＵＲＬにより、印刷設定ページへのアクセスが行なわれる。
【０１９５】
サーバ装置４は、印刷設定ページの印刷条件の一つの項目である、枚数データを１枚から２枚に修正し、修正された印刷設定ページを携帯電話に送信する（ｆ７）。その結果、携帯電話３１の表示部には図８４の画面が表示される。図８４は、図８１と同様であるが、印刷条件のうちの「枚数」が「２」に変わっている。
【０１９６】
図８４の設定値で満足できる（表示されている値が要求に合致しており、変更すべき印刷条件項目がない）場合、図８５にハッチングで示すように、「注文」ボタン９５を選択して、決定操作を行なうと、注文操作を行なった携帯電話の（識別データとしての）電話番号、印刷の対象となる画像の識別符号を含む印刷注文データがサーバ装置４に送信される。サーバ装置４は、送られてきたデータが印刷条件確定を示し、従って印刷実行を要求するものであると判断すると（ｆ８）、注文データを印刷装置５及び管理装置６に送信する（ｆ９）。
【０１９７】
図８４の設定で、例えば用紙サイズをＬサイズからＡ５サイズに変更したい場合、図８６にハッチングで示すように、「用紙サイズ」ボタン９２を選択して、決定操作を行なうと、この決定操作により発生されるＵＲＬにより、印刷用紙サイズの変更のためのページへのアクセスが行なわれる。これに応じて、サーバ装置４は用紙サイズ変更のためのページを携帯電話３１に送信する（ｆ８、ｆ１１）。その結果、携帯電話３１の表示部には図８７の画面が表示される。
【０１９８】
図８７に示されるページは用紙サイズを変更するためのものであり、用紙サイズの選択肢として、「Ｌサイズ（８９×１２７ｍｍ）」ボタン１１１、「２Ｌサイズ（１２７×１７８ｍｍ）」ボタン１１２、「ＨＶサイズ（８９×１５８ｍｍ）」ボタン１１３、「Ｐサイズ（８９×２５４ｍｍ）」ボタン１１４、「Ａ５サイズ（１４８×２１０ｍｍ）」ボタン１１５、及び「Ａ４サイズ（２１０×２９７ｍｍ）」ボタン１１６を含み、さらに「ＯＫ」ボタン９６、及び「戻る」ボタン９７を含む。
【０１９９】
既定値はＬサイズ（８９×１２７ｍｍ）となっている。例えば、図８８にハッチングで示すように、Ａ５サイズ（１４８×２１０ｍｍ）を選択して、決定操作を行なうと、用紙サイズデータが印刷設定ページを指定するＵＲＬとともにサーバ装置４に送信され、送信されたＵＲＬにより印刷設定ページへのアクセスが行なわれる。サーバ装置４は、用紙サイズをＬサイズからＡ５サイズに変更し、修正された設定ページを携帯電話に送信する（ｆ７）する。その結果、携帯電話３１の表示部には図８９の画面が表示される。図８９は、図８４と同様であるが、印刷条件のうちの「サイズ」が「Ａ５」に変わっている。
【０２００】
図８９の設定値で満足できる（表示されている値が要求に合致しており、変更すべき印刷条件項目がない）場合、図９０にハッチングで示すように、「注文」ボタン９５を選択して、決定操作を行なうと、注文操作を行なった携帯電話の（識別データとしての）電話番号、印刷の対象となる画像の識別符号を含む印刷注文データがサーバ装置４に送信される）。サーバ装置４は、送られてきたデータが印刷条件確定を示し、従って印刷実行を要求するものであると判断すると（ｆ８）、注文データを印刷装置５及び管理装置６に送信する（ｆ９）。
【０２０１】
図８９の設定で、例えば用紙を「ツヤ有り／縁無し」から「ツヤ無し／縁無し」に変更したい場合、図９１にハッチングで示すように、「用紙」ボタン９３を選択して、決定操作を行なうと、決定操作により発生されるＵＲＬにより印刷用紙の設定ページへのアクセスが行なわれる。これに応じて、サーバ装置４は用紙の設定のためページを携帯電話３１に送信する（ｆ８、ｆ１２）。その結果、携帯電話３１の表示部には図９２の画面が表示される。図９２に示す画面は用紙の種類（表面の性質、縁の有無）を変更するためのもので、用紙種類の選択肢として、「ツヤ有り／縁無し」ボタン１２１、「ツヤ無し／縁無し」ボタン１２２、「ツヤ有り／縁有り」ボタン１２３、及び「ツヤ無し／縁有り」ボタン１２４を含み、さらに「ＯＫ」ボタン９６、及び「戻る」ボタン９７を含む。既定値は「ツヤ有り／縁無し」１２１となっている。
【０２０２】
図９３にハッチングで示すように、「ツヤ無し／縁無し」１２２を選択して、決定操作を行なうと、用紙データが印刷設定ページを指定するＵＲＬとともにサーバ装置４に送信され、送信されたＵＲＬにより印刷設定ページへのアクセスが行なわれる。サーバ装置４は、印刷設定ページの用紙データを「ツヤ有り／縁無し」から「ツヤ無し／縁無し」に修正し、修正したページを携帯電話に送信する（ｆ７）。その結果、携帯電話３１の表示部には図９４の画面が表示される。図９４は、図８９と同様であるが、印刷条件のうちの「用紙種類」が「ツヤ有り／縁無し」から「ツヤ無し／縁無し」に変わっている。
【０２０３】
図９４の設定値で満足できる（表示されている値が要求に合致しており、変更すべき印刷条件項目がない）場合、図９５にハッチングで示すように、「注文」ボタン９５を選択して、決定操作を行なうと、注文操作を行なった携帯電話の（識別データとしての）電話番号、印刷の対象となる画像の識別符号を含む印刷注文データがサーバ装置４に送信される。サーバ装置４は、送られてきたデータが印刷条件確定を示し、従って印刷実行を要求するものであると判断すると（ｆ８）、注文データを印刷装置５及び管理装置６に送信する（ｆ９）。
【０２０４】
図９４の設定で、例えば送付先を「自分」から「田中さん」に変更したい場合、図９６にハッチングで示すように、「送付先」ボタン９４を選択して、決定操作を行なうと、決定操作により発生されるＵＲＬにより送付先の設定ページへのアクセスが行なわれる。これに応じて、サーバ装置４は送付先変更のためのページを携帯電話３１に送信する（ｆ８、ｆ１３）。その結果、携帯電話３１の表示部には図９７の画面が表示される。
【０２０５】
図９７の画面は送付先の指定の方法を選択するためのものであり、送付先の指定の方法の選択肢として、「アドレス帳から指定」ボタン１３１及び、「住所入力」ボタン１３２を含み、さらに「ＯＫ」ボタン９６、及び「戻る」ボタン９７を含む。既定値は「アドレス帳から指定」１３１となっている（ｆ１４）。
【０２０６】
図９７にハッチングで示すように、「アドレス帳から指定」１３１を選択して、決定操作を行なうと、「アドレス帳から指定」の選択データがアドレス帳データに基づいた送付先設定ページを指定するＵＲＬとともにサーバ装置４に送信され、送信されたＵＲＬにより、アドレス帳データに基づいた送付先設定ページへのアクセスが行なわれる。これに応じてサーバ装置４は、アドレス帳による指定を可能にするためのページを携帯電話３１に送信する（ｆ１５）。
【０２０７】
その結果、携帯電話３１の表示部には図９８の画面が表示される。図９８の画面はアドレス帳データに基づいて送付先を選択肢からの選択により指定するためのものであり、送付先の選択肢の一例として、「自分」ボタン１４１、「田中さん」ボタン１４２、「佐藤君」ボタン１４３、「鈴木様」ボタン１４４、「渡辺さん」ボタン１４５、及び「山本様」ボタン１４６を含み、さらに「ＯＫ」ボタン９６、及び「戻る」ボタン９７を含む。既定値は「自分」となっている。
【０２０８】
図９８にハッチングで示すように、「田中さん」を選択して、決定操作を行なうと、送付先データが印刷設定ページを指定するＵＲＬとともにサーバ装置４に送信され、送信されたＵＲＬにより印刷設定ページへのアクセスが行なわれる。サーバ装置４は、印刷設定ページの送付先データを「自分」から「田中さん」に修正して（ｆ７）、修正した印刷設定ページを携帯電話３１に送信する。その結果、携帯電話３１の表示部には図９９の画面が表示される。図９９は、図９４と同様であるが、印刷条件のうちの「送付先」が「自分」から「田中さん」に変わっている。
【０２０９】
図９９の設定値で満足できる（表示されている値が要求に合致しており、変更すべき印刷条件項目がない）場合、図１００にハッチングで示すように、「注文」ボタン９５を選択して、決定操作を行なうと、注文操作を行なった携帯電話の（識別データとしての）電話番号、印刷の対象となる画像の識別符号を含む印刷注文データがサーバ装置４に送信される。なお、送付先をアドレス帳に基づいて設定した場合、アドレス帳にて名前と関連付けられている携帯電話番号が送付先データとなる。サーバ装置４は、送られてきたデータが印刷条件確定を示し、従って印刷実行を要求するものであると判断すると（ｆ８）、注文データを印刷装置５及び管理装置６に送信する（ｆ９）。
【０２１０】
図１０１の設定で、例えば送付先を「田中さん」から文字入力により指定したい場合（例えば、「東京都千代田区・・・」と入力したい場合）、図１０１においてハッチングで示すように、「送付先」ボタン９４を選択して、決定操作を行なうと、決定操作により発生されるＵＲＬにより送付先の設定ページへのアクセスが行なわれる。これに応じて、サーバ装置４は送付先変更のためのページを携帯電話３１に送信する（ｆ８、ｆ１３）。その結果、携帯電話３１の表示部には図１０２の画面が表示される。図１０２の画面は図９７と同様、送付先を指定の方法を選択するためのものであり、送付先の指定の方法の選択肢として、「アドレス帳から指定」ボタン１３１及び、「住所入力」ボタン１３２を含み、さらに「ＯＫ」ボタン９６、及び「戻る」ボタン９７を含む。既定値は「アドレス帳から指定」１３１となっている（ｆ１４）。
【０２１１】
図１０２にハッチングで示すように、「住所入力」ボタン１３２を選択して、決定操作を行なうと、「住所入力」の選択データが住所入力による送付先設定のためのページを指定するＵＲＬとともにサーバ装置４に送信され、送信されたＵＲＬで指定される住所入力による送付先設定のためのページへのアクセスが行なわれる。これに応じてサーバ装置４は、住所入力のためのページを送信する（ｆ１６）。その結果、携帯電話３１の表示部には図１０３の画面が表示される。
【０２１２】
図１０３の画面は文字入力により送付先を指定するためのものであり、送付先の住所を入力するためのフィールド１５１、及び送付先の氏名を文字入力するためのフィールド１５２を含み、さらに「ＯＫ」ボタン９６、及び「戻る」ボタン９７を含む。
【０２１３】
これらのフィールド゛１５１及び１５２にそれぞれ住所、氏名を文字入力して決定操作を行なうと、送付先データが印刷設定ページを指定するＵＲＬとともにサーバ装置４に送信され、送信されたＵＲＬにより印刷設定ページへのアクセスが行なわれる。これに応じてサーバ装置４は、印刷設定ページの送付先データを「田中さん」から文字入力された「田中太郎」に修正し（ｆ７）、修正された印刷設定ページを、携帯電話３１に送信する。その結果、携帯電話３１の表示部には図１０４の画面が表示される。図１０４の画面は、図９９と同様であるが、印刷条件のうちの「送付先」が「田中さん」から「田中太郎」に変わっている。
【０２１４】
図１０４の設定値で満足できる（表示されている値が要求に合致しており、変更すべき印刷条件項目がない）場合、図１０６にハッチングで示すように、「注文」ボタン９５を選択して、決定操作を行なうと、注文操作を行なった携帯電話の（識別データとしての）電話番号、印刷の対象となる画像の識別符号を含む印刷注文データがサーバ装置４に送信される。送付先を住所入力した場合、住所、氏名が送付先データとなる。サーバ装置４は、送られてきたデータが印刷条件確定を示し、従って印刷実行を要求するものであると判断すると（ｆ８）、注文データを印刷装置５及び管理装置６に送信する（ｆ９）。
【０２１５】
次に、図６のステップｆ９の処理に基づいて実行される処理を図７を参照して詳細に説明する。図７は印刷装置５及び管理装置６が行なう処理であり、これらは、ステップｆ９で注文データが送信されると、これに応じて行なわれる。
【０２１６】
サーバ装置４からの注文データには、例えば、注文操作を行なった携帯電話の（識別データとしての）電話番号、印刷の対象となる画像の識別符号（一連の画像のうち印刷すべき画像を特定する情報）、印刷枚数、印刷用紙情報、通信端末識別データが含まれ、印刷装置５は、この注文データに基づいて印刷を行なう（ｆ２１）。この場合、蓄積装置２に蓄積された画像を用いて高精細の印刷を行なう。蓄積装置２内の画像の指定は、上記の注文データに含まれる画像識別符号により行なわれる。
【０２１７】
そして、管理装置６は印刷画像を上記注文データに基づいた送付先に発送させるための指示乃至データを出力する（ｆ２２）。具体的には、例えば、送付先を宛名として封筒に印字したり、封筒に貼り付けられるラベルに印字したりする。これに基づいて、郵便や宅配業者に依頼して送付が行なわれる。
【０２１８】
上記送付先データが携帯電話番号で表わされている場合、送受信装置７は、上記送付先データとして設定された携帯電話番号を、通信事業者２０の送受信装置２１に送信する。管理装置２３は、当該携帯電話番号を利用している利用者の住所、氏名を照会する。通信事業者２０の送受信装置２１は、当該携帯電話番号を利用している利用者の住所、氏名を折り返し送受信装置７を介して管理装置６に送信する。管理装置６は、通信事業者２０から送られて来た住所氏名で表わされる送付先に印刷画像の発生するための指示を出力する。
【０２１９】
管理装置６は、さらに、注文データに基づいて印刷料金を計算し（ｆ２３）、送受信装置７を介して、印刷注文者の携帯電話番号に関連付けた上記印刷料金データを、通信事業者２０の送受信装置２１に送信する（ｆ２４）。
【０２２０】
管理装置２３は、利用者毎の携帯電話の通話料金、情報利用料金、パケット通信料金等の利用料金を集計管理している。送受信装置２１で受信した携帯電話番号に関連付けた上記印刷料金データに基づいて管理装置２３は当該携帯電話利用者の利用料金に上記印刷料金を課金する。
【０２２１】
なお、ステップｆ２３による料金データの送信は、画像管理システム１０から通信事業者２０に対する料金徴収の代行と言う性格のものであっても良く、画像管理システム１０から通信事業者２０に対する課金と言う性格のものであっても良い。後者の場合、通信事業者２０は、利用者（携帯電話の使用者に対し、１０から請求された額に手数料を上乗せ他した額を請求することとしても良く、前者の場合、料金徴収の代行手数料が通信事業者２０から画像管理システム１０に請求することとしても良い。
【０２２２】
また、印刷料金のみならず、管理して画像の量や期間に応じて携帯電話の使用者に費用請求することしても良く、その場合も画像管理システム１０が額を通信事業者２０に知らせ、通信事業者２０が利用者に課金することとしても良い。
【０２２３】
ステップｆ２４がともに完了したら、印刷が完了したことが、携帯電話３１に通知される。この場合、発送日（又は発送予定日）又は到着予定日や計算された印刷料金を併せて知らせるようにしても良い。
【０２２４】
なお、上記のステップｆ２１及びｆ２２の組合せとステップｆ２３及びｆ２４の組合せとは同時に並行して行なうこととしても良い。
【０２２５】
上記の画像読取り、アルバムの作成、アルバムが完成したときの画像所有者の通信端末への通知、利用権の設定、画像の閲覧や印刷注文などに利用、特にその際の利用権の確認など処理において用いられる画像の所有者の通信端末や画像の利用者の通信端末の識別データとしては、電話番号の他に、電子メール・アドレス、パケット通信サービスのアドレス、通信事業者における顧客管理番号、氏名及び住所を含む加入者情報などを用いることができる。
【０２２６】
以上のように構成したので、撮像機能付き携帯電話の所有者は、電子的画像アルバムを画像管理システムに登録して、そのＵＲＬを電子メールで連絡することで、当該電子的画像アルバムを見せたい関係者に簡単に見せることができる。また、ＵＲＬを知らせてもらった関係者は、自分が入手希望する画像の印刷注文を自分で行なうことができ、画像所有者も関係者もともに面倒な思いをすることなく希望する画像を入手できる。従来は、写真の所有者は、関係者に写真を回覧して、その焼き増し希望を取り纏めて写真店に焼き増しを発注して、出来上がった写真を希望者に配布するなど煩雑な手間がかかった。また、写真の焼き増し費用も写真所有者が立て替え払いの上、写真希望者各々と個別精算するなど煩雑な手間がかかった。
【０２２７】
また、プライベートな画像アルバムはごく限られた特定の関係者にしか公開しないとか、閲覧はしてもらっても良いが画像の印刷までして欲しくないなど、また特定の集団のメンバには公開してもいいので、その集団のメンバには教えるパスワードを設けて公開する等、関係者への公開のレベルを画像所有者本人が設定できるので、プライバシーの侵害を防げる。
【０２２８】
【発明の効果】
この出願の電子的に画像の閲覧のための処理、及び画像印刷の注文に対応する処理を行なう画像管理方法において、
通信端末から画像データを読取る読取りステップと、
上記画像データから電子的画像アルバムを作成する画像アルバム作成ステップと、
利用者の通信端末に上記電子的画像アルバムの画像を送信してその表示部に表示して閲覧させる閲覧ステップと、
利用者が上記通信端末を用いて行なう上記電子的画像アルバムの画像の印刷の注文を受付ける印刷注文処理ステップと、
上記画像の閲覧、又は上記画像の印刷に際し、利用者の利用権の確認を行なう利用権確認ステップと、
上記利用者からの印刷注文に対して印刷を行なうステップと
を含む画像管理方法によれば、画像の閲覧、印刷注文を含む画像管理サービスを、利用者の利用権を確認した上で提供するので、利用権がない人に閲覧を許容したり、印刷画像を送ったりすることを防ぐことができ、プラバシーや著作権を守ることができる。
【０２２９】
上記閲覧ステップにおいて、上記利用権確認ステップで確認した利用権の内容により、利用者が利用権を有する画像のみを上記利用者の通信端末に送信してその表示部に表示させることとすれば、閲覧が許容されている画像のみを送信して表示させるので、閲覧のための操作や通信のための時間が通信時間が少なくて済み、通信料金を節約することができる。また、非公開になっている画像の存在を利用者に知られてなくて済み、画像所有者のプライバシーの保護の点からも有効である。
【０２３０】
上記印刷注文処理ステップにおいて、上記利用権確認ステップで確認した利用権の内容により、利用者が利用権を有する画像についてのみ、印刷注文を受付けることができる画面を上記利用者の通信端末に送信してその表示部に表示させることとすれば、印刷注文が許容されている画像についてのみ、印刷注文を受付けるための画面を送信して表示させるので、印刷可能が許容されているかどうかを容易に判断することができる。
【０２３１】
上記利用権確認ステップが、利用に際し、利用者に認証のための所定の操作を行なわせることを含むこととすれば、上記所定の操作（パスワード認証のための操作、指紋認証のための操作、虹彩認証のための操作など）によって利用権があると認められれば画像の利用を許可されるので、どの通信端末を用いているかに拘わらず（例えば利用者が他人の通信端末を使用している場合にも）、上記所定の操作で画像を利用することができるような設定にすることができるので、便利である。一方、利用権のない者には、所定の操作を含む認証により、画像の利用が拒否されるので、場像所有者のプライバシーや著作権を保護することができる。
【０２３２】
上記利用権の確認が、通信端末から送信された通信端末識別データと、予め記憶されている、設定された利用権を表わす情報とを参照して行なわれることとすれば、利用者が格別の操作を行なわなくても利用権が確認できるので、画像の利用に要する時間を短くすることができ、また画像の利用のための操作が簡単であると言う利点がある。
【０２３３】
上記利用権を上記画像アルバムの所有者の通信端末において設定する利用権設定ステップをさらに有することとすれば、画像の閲覧や印刷に関する利用権を、画像アルバムの所有者が自由に設定することができるので、状況に応じて最適の設定を行なうことができる。
【０２３４】
上記利用権設定ステップにおいて、上記閲覧や印刷に関する利用権を、画像アルバム毎に或いは画像毎に設定するための画面を上記画像所有者の通信端末の表示部に表示させることとすれば、利用権の設定を、画像アルバム毎あるいは画像毎に設定可能なので、画像アルバムや画像の内容に応じて最適の設定を行なうことができる。即ち、各利用者に応じて公開したい画像アルバムや画像と、公開したくない画像アルバムや画像をきめ細かく設定することができると言う効果がある。
【０２３５】
上記利用権設定ステップにおいて、制限無し、画像アルバムの所有者のみ利用可能、非公開などを設定することができる画面を上記画像所有者の通信端末に表示させることとすれば、画像アルバムや画像の内容に応じて最適な設定を行なうことができる。例えば、利用者を特定して公開する画像と、本人専用の画像などをきめ細かく設定することができると言う効果がある。
【０２３６】
上記利用権設定ステップにおいて、利用権が与えられる利用者を、その通信端末の通信端末識別データにより設定することができる画面を上記画像所有者の通信端末に表示させることとすれば、利用権を、通信端末識別データによって設定できるので、利用者毎の利用権を確実に設定することができる。また各利用者は格別の操作を行なわなくても利用権が確認できるので便利である。
【０２３７】
上記通信端末識別データが、電話番号、電子メール・アドレス、パケット通信サービスのアドレス、通信事業者における顧客管理番号、氏名及び住所を含む加入者情報のうち少なくとも一つを含むこととすれば、電話番号のような重複のない識別データで利用者を特定するので、利用権の有無についての判定が確実である。また電話番号などの識別データは他の用途でも用いられているものであるので、例えば通信端末にすでに記憶されているなどの理由で、利用が簡単である。さらに、利用者が画像を閲覧したり印刷注文したときの利用料金を通信料金と合せて課金することが容易になると言う効果がある。
【０２３８】
上記利用権設定ステップにおいて、利用に際し、利用者に所定の操作を行なわせることにより利用権を確認する設定を選択することが可能であることとすれば、画像の入力、閲覧、印刷注文、利用料金支払いを含む画像管理サービスの利用権を、パスワード認証、指紋認証、あるいは虹彩認証の上で提供するよう設定できるので特定の通信端末に依存することなく、利用者が便利な通信端末からのアクセスで便利に利用できる効果がある。
【０２３９】
上記電子的画像アルバムの閲覧の準備が整った段階で、上記電子的画像アルバムの閲覧画面の接続情報及び利用権設定のための接続情報を、上記画像所有者の通信端末に送信するステップをさらに有することとすれば、接続情報（ＵＲＬ）を画像の所有者が自分で入力する手間が省ける効果がある。また、閲覧しようとしたのに準備が整っていないため見られないと言った事態の発生を防ぐことができる。さらに、接続情報と共に利用権設定用の画面の送信を要求するために用いられる接続情報（ＵＲＬ）を画像所有者にだけ通知することができると言う効果がある。さらにまた、利用権は通信端末識別データが一致する通信端末からしか設定できないので、画像所有者以外の者が設定を行なったりする不都合を回避することができる。
【０２４０】
上記読取りステップにおいて、上記通信端末から画像データとともに、上記通信端末の識別データを送信し、上記画像アルバム作成ステップにおいて、上記通信端末の識別データによって画像の所有者を特定して画像の所有者毎に上記画像アルバムを作成し、上記電子的画像アルバムの閲覧画面の接続情報及び利用権設定のための接続情報を上記画像所有者の通信端末に送信するステップにおいて、上記画像所有者の上記通信端末の識別データによって、上記画像所有者の通信端末を特定することとすれば、画像データを電話番号のような、重複の無い識別データで管理できるので、画像アルバムの作成において、他の人が所有する画像データと混ざってしまうような管理上の手違いは起きにくいと言う効果がある。
【０２４１】
上記印刷に関し利用料金を計算する利用料金計算ステップと、計算された利用料金を、利用者の通信端末の通信料金管理請求者に送信するステップと、上記印刷ステップで印刷した印刷画像を、上記注文に基づいて発送させる発送ステップとをさらに有することとすれば、料金の請求、支払いが円滑に行なえると言う利点がある。特に、画像の利用に対する料金を、通信端末の通信料金とまとめて請求することができ、これにより利用料金管理が行ないやすくなると言う利点がある。また、例えば写真店に印刷画像を受け取りに行く必要がなく、便利である。
【０２４２】
上記通信端末が、携帯電話、携帯端末、携帯通信端末、携帯情報端末、携帯情報通信端末、ＰＤＡ（Ｐｅｒｓｏｎａｌ  Ｄｉｇｉｔａｌ  Ａｓｓｉｓｔａｎｔｓ或いはＰｅｒｓｏｎａｌ  Ｄａｔａ  Ａｓｓｉｓｔａｎｔｓ）、ＰＨＳ（Ｐｅｒｓｏｎａｌ  Ｈａｎｄｙｐｈｏｎｅ  Ｓｙｓｔｅｍ）などの携帯可能で通信機能を搭載した機器であることとすれば、画像の閲覧や画像印刷に適したインターネットに接続されたパーソナルコンピュータを備えた固定環境でなくても、移動しながら携帯可能で通信機能を搭載した機器で画像閲覧や画像印刷が可能となる効果がある。
【０２４３】
この出願の電子的に画像の閲覧のための処理、及び画像印刷の注文に対応する処理を行なう画像管理装置において、
通信端末から画像データを読取る読取り装置と、
上記画像データから電子的画像アルバムを作成する処理装置と、
利用者の通信端末に上記電子的画像アルバムの画像を送信してその表示部に表示して閲覧させ、利用者が上記通信端末を用いて行なう上記電子的画像アルバムの画像の印刷の注文を受付け、上記画像の閲覧、又は上記画像の印刷に際し、利用者の利用権の確認を行なうサーバ装置と、
上記利用者からの印刷注文に対して印刷を行なう印刷装置と
を含む画像管理システムによれば、画像の閲覧、印刷注文を含む画像管理サービスを、利用者の利用権を確認した上で提供するので、利用権がない人に閲覧を許容したり、印刷画像を送ったりすることを防ぐことができ、プラバシーや著作権を守ることができる。
【０２４４】
上記サーバ装置が、確認された利用権の内容により、利用者が利用権を有する画像のみを上記利用者の通信端末に送信してその表示部に表示させることとすれば、閲覧が許容されている画像のみを送信して表示させるので、閲覧のための操作や通信のための時間が通信時間が少なくて済み、通信料金を節約することができる。また、非公開になっている画像の存在を利用者に知られてなくて済み、画像所有者のプライバシーの保護の点からも有効である。
【０２４５】
上記サーバ装置が、確認された利用権の内容により、利用者が利用権を有する画像についてのみ、印刷注文を受付けることができる画面を上記利用者の通信端末に送信してその表示部に表示させることとすれば、印刷注文が許容されている画像についてのみ、印刷注文を受付けるための画面を送信して表示させるので、印刷可能が許容されているかどうかを容易に判断することができる。
【０２４６】
上記サーバ装置が、利用に際し、利用者に認証のための所定の操作を行なわせることとすれば、上記所定の操作（パスワード認証のための操作、指紋認証のための操作、虹彩認証のための操作など）によって利用権があると認められれば画像の利用を許可されるので、どの通信端末を用いているかに拘わらず（例えば利用者が他人の通信端末を使用している場合にも）、上記所定の操作で画像を利用することができるような設定にすることができるので、便利である。一方、利用権のない者には、所定の操作を含む認証により、画像の利用が拒否されるので、場像所有者のプライバシーや著作権を保護することができる。
【０２４７】
サーバ装置が、通信端末から送信された通信端末識別データと、予め記憶されている、設定された利用権を表わす情報とを参照して利用権の確認を行なうこととすれば、利用者が格別の操作を行なわなくても利用権が確認できるので、画像の利用に要する時間を短くすることができ、また画像の利用のための操作が簡単であると言う利点がある。
【０２４８】
上記サーバ装置がさらに、上記利用権を上記画像アルバムの所有者の通信端末において設定するための画面を上記所有者の通信端末に表示させることを可能にすることとすれば、画像の閲覧や印刷に関する利用権を、画像アルバムの所有者が自由に設定することができるので、状況に応じて最適の設定を行なうことができる。
【０２４９】
上記サーバ装置が、上記利用権の設定に当たり、画像の閲覧や印刷に関する利用権を、画像アルバム毎に或いは画像毎に設定するための画面を上記画像所有者の通信端末の表示部に表示させることとすれば、利用権の設定を、画像アルバム毎あるいは画像毎に設定可能なので、画像アルバムや画像の内容に応じて最適の設定を行なうことができる。即ち、各利用者に応じて公開したい画像アルバムや画像と、公開したくない画像アルバムや画像をきめ細かく設定することができると言う効果がある。
【０２５０】
上記サーバ装置が、上記利用権の設定に当たり、制限無し、画像アルバムの所有者のみ利用可能、非公開などを設定することができる画面を上記画像所有者の通信端末に表示させることとすれば、画像アルバムや画像の内容に応じて最適な設定を行なうことができる。例えば、利用者を特定して公開する画像と、本人専用の画像などをきめ細かく設定することができると言う効果がある。
【０２５１】
上記サーバ装置が、上記利用権が与えられる利用者を、その通信端末の通信端末識別データにより設定することができる画面を上記画像所有者の通信端末に表示させることとすれば、利用権を、通信端末識別データによって設定できるので、利用者毎の利用権を確実に設定することができる。また各利用者は格別の操作を行なわなくても利用権が確認できるので便利である。
【０２５２】
上記通信端末識別データが、電話番号、電子メール・アドレス、パケット通信サービスのアドレス、通信事業者における顧客管理番号、氏名及び住所を含む加入者情報のうち少なくとも一つを含むこととすれば、電話番号のような重複のない識別データで利用者を特定するので、利用権の有無についての判定が確実である。また電話番号などの識別データは他の用途でも用いられているものであるので、例えば通信端末にすでに記憶されているなどの理由で、利用が簡単である。さらに、利用者が画像を閲覧したり印刷注文したときの利用料金を通信料金と合せて課金することが容易になると言う効果がある。
【０２５３】
上記サーバ装置が、上記利用権の設定に当たり、利用に際し、利用者に所定の操作を行なわせることにより利用権を確認する設定を選択することが可能であることとすれば、画像の入力、閲覧、印刷注文、利用料金支払いを含む画像管理サービスの利用権を、パスワード認証、指紋認証、あるいは虹彩認証の上で提供するよう設定できるので特定の通信端末に依存することなく、利用者が便利な通信端末からのアクセスで便利に利用できる効果がある。
【０２５４】
上記サーバ装置が、上記電子的画像アルバムの閲覧の準備が整った段階で、上記電子的画像アルバムの閲覧画面の接続情報及び利用権設定のための接続情報を、上記画像所有者の通信端末に送信することとすれば、接続情報（ＵＲＬ）を画像の所有者が自分で入力する手間が省ける効果がある。また、閲覧しようとしたのに準備が整っていないため見られないと言った事態の発生を防ぐことができる。さらに、接続情報と共に利用権設定用の画面の送信を要求するために用いられる接続情報（ＵＲＬ）を画像所有者にだけ通知することができると言う効果がある。さらにまた、利用権は通信端末識別データが一致する通信端末からしか設定できないので、画像所有者以外の者が設定を行なったりする不都合を回避することができる。
【０２５５】
上記読取り装置が、上記通信端末から画像データとともに、上記通信端末の識別データを送信し、上記処理装置が、上記通信端末の識別データによって画像の所有者を特定して画像の所有者毎に上記画像アルバムを作成し、上記サーバ装置が、上記電子的画像アルバムの閲覧画面の接続情報及び利用権設定のための接続情報を、上記画像所有者の通信端末に送信するに当たり、上記画像所有者の上記通信端末の識別データによって、上記画像所有者の通信端末を特定することとすれば、画像データを電話番号のような、重複の無い識別データで管理できるので、画像アルバムの作成において、他の人が所有する画像データと混ざってしまうような管理上の手違いは起きにくいと言う効果がある。
【０２５６】
上記印刷に関し利用料金を計算する管理装置と、計算された利用料金を、利用者の通信端末の通信料金管理請求者に送信する送受信装置とをさらに有し、上記サーバ装置が、上記印刷装置で印刷した印刷画像を、上記注文に基づいて発送させることとすれば、料金の請求、支払いが円滑に行なえると言う利点がある。特に、画像の利用に対する料金を、通信端末の通信料金とまとめて請求することができ、これにより利用料金管理が行ないやすくなると言う利点がある。また、例えば写真店に印刷画像を受け取りに行く必要がなく、便利である。
【０２５７】
上記通信端末が、携帯電話、携帯端末、携帯通信端末、携帯情報端末、携帯情報通信端末、ＰＤＡ（Ｐｅｒｓｏｎａｌ  Ｄｉｇｉｔａｌ  Ａｓｓｉｓｔａｎｔｓ或いはＰｅｒｓｏｎａｌ  Ｄａｔａ  Ａｓｓｉｓｔａｎｔｓ）、ＰＨＳ（Ｐｅｒｓｏｎａｌ  Ｈａｎｄｙｐｈｏｎｅ  Ｓｙｓｔｅｍ）などの携帯可能で通信機能を搭載した機器であることとすれば、画像の閲覧や画像印刷に適したインターネットに接続されたパーソナルコンピュータを備えた固定環境でなくても、移動しながら携帯可能で通信機能を搭載した機器で画像閲覧や画像印刷が可能となる効果がある。
【図面の簡単な説明】
【図１】  本発明の画像管理システム１０をそれに接続される他の装置とともに示すブロック図である。
【図２】  本発明の一実施の形態で用いられる携帯電話３０の外観図である。
【図３】  本発明の画像管理システム１０による、データ蓄積、アルバム作成などの動作を示すフローチャートである。
【図４】  本発明の画像管理システム１０による、画像閲覧及び印刷注文に関する利用権の設定などの動作を示すフローチャートである。
【図５】  本発明の画像管理システム１０による、アルバム閲覧、印刷注文受付けなどの動作を示すフローチャートである。
【図６】  本発明の画像管理システム１０による、印刷注文受付けなどの動作を示すフローチャートである。
【図７】  画像管理システム１０のサーバ装置４から画像印刷の指示を受けたときの印刷装置５及び管理装置６の動作を示すフローチャートである。
【図８】  アルバム作成の際に行なわれる、画像の縮小を示す図である。
【図９】  画像閲覧又は利用権の設定を選択させる画面を示す図である。
【図１０】  利用権設定範囲を指定するための画面を示す図である。
【図１１】  利用権設定範囲として「全アルバム」が選択された状態を示す図である。
【図１２】  利用権設定対象を指定するための画面を示す図である。
【図１３】  利用権設定対象として「閲覧／印刷注文利用権」が選択された状態を示す図である。
【図１４】  利用権設定方法を指定するための画面を示す図である。
【図１５】  利用権設定方法として「本端末のみ」が選択された状態を示す図である。
【図１６】  利用権設定結果の一例を示す図である。
【図１７】  利用権設定方法として「無制限」が選択された状態を示す図である。
【図１８】  利用権設定結果の他の例を示す図である。
【図１９】  利用権設定方法として「非公開」が選択された状態を示す図である。
【図２０】  利用権設定結果の他の例を示す図である。
【図２１】  利用権設定方法として「端末登録者」が選択された状態を示す図である。
【図２２】  端末登録者として「追加登録」を認めるための画面を示す図である。
【図２３】  端末登録設定方法として「アドレス帳」が選択された状態を示す図である。
【図２４】  アドレス帳による端末登録を示す図である。
【図２５】  端末登録のため「田中さん」が選択された状態を示す図である。
【図２６】  利用権設定結果の他の例を示す図である。
【図２７】  端末登録方法として「電話番号入力」が選択された状態を示す図である。
【図２８】  端末登録のための電話番号入力のための画面を示す図である。
【図２９】  端末登録のため「入力された電話番号」が表示された状態を示す図である。
【図３０】  利用権設定結果の他の例を示す図である。
【図３１】  利用権設定方法として「メールアドレス入力」が選択された状態を示す図である。
【図３２】  端末登録のためのメールアドレス入力のための画面を示す図である。
【図３３】  端末登録のため「入力されたメールアドレス」が表示された状態を示す図である。
【図３４】  利用権設定結果の他の例を示す図である。
【図３５】  利用権設定方法として「パスワード認証者」が選択された状態を示す図である。
【図３６】  パスワードの設定又は削除を選択するための画面を示す図である。
【図３７】  パスワード入力のための画面を示す図である。
【図３８】  利用権設定結果の他の例を示す図である。
【図３９】  利用権設定対象として「閲覧利用権」が選択された状態を示す図である。
【図４０】  利用権設定対象として「印刷注文利用権」が選択された状態を示す図である。
【図４１】  利用権設定範囲として「アルバム毎」が選択された状態を示す図である。
【図４２】  アルバムの一覧を表示した画面を示す図である。
【図４３】  一覧表示されたアルバムのうち、アルバム▲１▼が選択された状態を示す図である。
【図４４】  利用権設定範囲として「画像毎」が選択された状態を示す図である。
【図４５】  アルバムの一覧を表示した画面を示す図である。
【図４６】  一覧表示されたアルバムのうち、アルバム▲１▼が選択された状態を示す図である。
【図４７】  選択されたアルバム▲１▼のうちの一番目の画像を表示した画面を示す図である。
【図４８】  選択されたアルバム▲１▼のうちの二番目の画像を表示した画面を示す図である。
【図４９】  選択されたアルバム▲１▼のうちの三番目の画像を表示した画面を示す図である。
【図５０】  選択されたアルバム▲１▼のうちの四番目の画像を表示した画面を示す図である。
【図５１】  選択されたアルバム▲１▼のうちの五番目の画像を表示した画面を示す図である。
【図５２】  選択されたアルバム▲１▼内の画像を示す図である。
【図５３】  選択されたアルバム▲１▼内の画像のうち、ある利用者に閲覧利用権が認められる画像を示す図である。
【図５４】  選択されたアルバム▲１▼内の画像のうち、同じ利用者に印刷注文利用権が認められる画像を示す図である。
【図５５】  アルバム中の一番目の画像の閲覧の要求に対し、携帯電話の表示部に表示される画面を示す図である。
【図５６】  アルバム中の二番目の画像の閲覧の要求に対し、携帯電話の表示部に表示される画面を示す図である。
【図５７】  アルバム中の三番目の画像の閲覧の要求に対し、携帯電話の表示部に表示される画面を示す図である。
【図５８】  アルバム中の四番目の画像の閲覧の要求に対し、携帯電話の表示部に表示される画面を示す図である。
【図５９】  アルバム中の五番目の画像の閲覧の要求に対し、携帯電話の表示部に表示される画面を示す図である。
【図６０】  画像閲覧の画面において、「印刷」が選択された状態を示す図である。
【図６１】  アルバム中の画像２に対して印刷注文利用権がなく、画像３に対して閲覧利用権がない利用者からの、一番目の画像の閲覧のための要求に対し、携帯電話の表示部に表示される画面を示す図である。
【図６２】  アルバム中の画像２に対して印刷注文利用権がなく、画像３に対して閲覧利用権がない利用者からの、二番目の画像の閲覧の要求に対し、携帯電話の表示部に表示される画面を示す図である。
【図６３】  アルバム中の画像２に対して印刷注文利用権がなく、画像３に対して閲覧利用権がない利用者からの、四番目の画像の閲覧の要求に対し、携帯電話の表示部に表示される画面を示す図である。
【図６４】  アルバム中の画像２に対して印刷注文利用権がなく、画像３に対して閲覧利用権がない利用者からの、五番目の画像の閲覧の要求に対し、携帯電話の表示部に表示される画面を示す図である。
【図６５】  本発明の画像管理システム１０による、アルバム閲覧、印刷注文受付けなどの動作の他の例を示すフローチャートである。
【図６６】  図６５のステップｆ５３の詳細を示すフローチャートである。
【図６７】  図６５のステップｆ５４の詳細を示すフローチャートである。
【図６８】  アルバム中の画像３に対して端末識別データによる閲覧利用権がない利用者からの、一番目の画像の閲覧の要求に対し、携帯電話の表示部に表示される画面を示す図である。
【図６９】  アルバム中の画像３に対して端末識別データによる閲覧利用権がない利用者からの、二番目の画像の閲覧の要求に対し、携帯電話の表示部に表示される画面を示す図である。
【図７０】  画像閲覧のためのパスワード入力のための画面を示す図である。
【図７１】  アルバム中の画像３に対して端末識別データによる閲覧利用権がない場合に行なわれるパスワード入力により閲覧が認められた場合に、携帯電話の表示部に表示される画面を示す図である。
【図７２】  印刷が認められない場合に、携帯電話の表示部に表示される画面を示す図である。
【図７３】  印刷のためのパスワード入力のための画面を示す図である。
【図７４】  本発明の画像管理システム１０による、アルバム閲覧、印刷注文受付けなどの動作の他の例を示すフローチャートである。
【図７５】  ステップｆ７の直前に行なわれる、パスワードチェックのための動作を示すフローチャートである。
【図７６】  アルバム中の画像２に対して端末識別データによる印刷注文利用権がない利用者からの、一番目の画像の閲覧の要求に対し、携帯電話の表示部に表示される画面を示す図である。
【図７７】  アルバム中の画像２に対して端末識別データによる閲覧利用権がない利用者からの、二番目の画像の閲覧の要求に対し、携帯電話の表示部に表示される画面を示す図である。
【図７８】  印刷のためのパスワード入力のための画面を示す図である。
【図７９】  印刷条件設定／変更のためのページを表示した画面を示す図である。
【図８０】  表示された印刷条件で印刷を指示する際の画面を示す図である。
【図８１】  印刷条件のうち、枚数の変更を指示する際の画面を示す図である。
【図８２】  印刷枚数の変更のための画面を示す図である。
【図８３】  表示された印刷枚数の設定を指示する際の画面を示す図である。
【図８４】  印刷条件が一部変更された、印刷条件設定／変更のためのページを表示した画面を示す図である。
【図８５】  表示された印刷条件で印刷を指示する際の画面を示す図である。
【図８６】  印刷条件のうち、サイズの変更を指示する際の画面を示す図である。
【図８７】  サイズの指定を選択で行なうための画面を示す図である。
【図８８】  用紙サイズの指定を選択で行なうための画面を示す図である。
【図８９】  印刷条件が一部変更された、印刷条件設定／変更のためのページを表示した画面を示す図である。
【図９０】  表示された印刷条件で印刷を指示する際の画面を示す図である。
【図９１】  印刷条件のうち、用紙の種類の変更を指示する際の画面を示す図である。
【図９２】  用紙の種類の指定を選択で行なうための画面を示す図である。
【図９３】  用紙種類の指定を選択で行なうための画面を示す図である。
【図９４】  印刷条件が一部変更された、印刷条件設定／変更のためのページを表示した画面を示す図である。
【図９５】  表示された印刷条件で印刷を指示する際の画面を示す図である。
【図９６】  印刷条件のうち、送付先の変更を指示する際の画面を示す図である。
【図９７】  送付先の指定の方法を選択するための画面を示す図である。
【図９８】  送付先の指定をアドレス帳からの選択で行なうための画面を示す図である。
【図９９】  印刷条件が一部変更された、印刷条件設定／変更のためのページを表示した画面を示す図である。
【図１００】  表示された印刷条件で印刷を指示する際の画面を示す図である。
【図１０１】  印刷条件のうち、送付先の変更を指示する際の画面を示す図である。
【図１０２】  送付先の指定の方法を選択するための画面を示す図である。
【図１０３】  送付先の指定を文字入力により行なうための画面を示す図である。
【図１０４】  印刷条件が一部変更された、印刷条件設定／変更のためのページを表示した画面を示す図である。
【図１０５】  表示された印刷条件で印刷を指示する際の画面を示す図である。
【図１０６】  従来の撮像装置と印刷装置を含むシステムを示すブロック図である。
【図１０７】  従来の画像管理システムの一例を示すブロック図である。
【図１０８】  従来の画像管理システムの他の例を示すブロック図である。
【図１０９】  従来の画像管理システムの他の例を示すブロック図である。
【符号の説明】
１  データ読取装置、  ２  蓄積装置、  ３  処理装置、  ４  サーバ装置、  ５  印刷装置、  ６  管理装置、  ７  送受信装置、  ８  バス、  １０  画像管理システム、  ２０  通信事業者、  ２１  送受信装置、  ２２  サーバ装置、  ２３  管理装置、  ２４  回線処理装置、  ２５  バス、  ３０  撮像機能付き携帯電話、  ３１  携帯電話、  ３２  携帯電話、  ３３  携帯電話、５０  インターネット。
【図１】
0004292283.tif 000002
【図２】
0004292283.tif 000003
【図３】
0004292283.tif 000004
【図４】
0004292283.tif 000005
【図５】
0004292283.tif 000006
【図６】
0004292283.tif 000007
【図７】
0004292283.tif 000008
【図８】
0004292283.tif 000009
【図９】
0004292283.tif 000010
【図１０】
0004292283.tif 000011
【図１１】
0004292283.tif 000012
【図１２】
0004292283.tif 000013
【図１３】
0004292283.tif 000014
【図１４】
0004292283.tif 000015
【図１５】
0004292283.tif 000016
【図１６】
0004292283.tif 000017
【図１７】
0004292283.tif 000018
【図１８】
0004292283.tif 000019
【図１９】
0004292283.tif 000020
【図２０】
0004292283.tif 000021
【図２１】
0004292283.tif 000022
【図２２】
0004292283.tif 000023
【図２３】
0004292283.tif 000024
【図２４】
0004292283.tif 000025
【図２５】
0004292283.tif 000026
【図２６】
0004292283.tif 000027
【図２７】
0004292283.tif 000028
【図２８】
0004292283.tif 000029
【図２９】
0004292283.tif 000030
【図３０】
0004292283.tif 000031
【図３１】
0004292283.tif 000032
【図３２】
0004292283.tif 000033
【図３３】
0004292283.tif 000034
【図３４】
0004292283.tif 000035
【図３５】
0004292283.tif 000036
【図３６】
0004292283.tif 000037
【図３７】
0004292283.tif 000038
【図３８】
0004292283.tif 000039
【図３９】
0004292283.tif 000040
【図４０】
0004292283.tif 000041
【図４１】
0004292283.tif 000042
【図４２】
0004292283.tif 000043
【図４３】
0004292283.tif 000044
【図４４】
0004292283.tif 000045
【図４５】
0004292283.tif 000046
【図４６】
0004292283.tif 000047
【図４７】
0004292283.tif 000048
【図４８】
0004292283.tif 000049
【図４９】
0004292283.tif 000050
【図５０】
0004292283.tif 000051
【図５１】
0004292283.tif 000052
【図５２】
0004292283.tif 000053
【図５３】
0004292283.tif 000054
【図５４】
0004292283.tif 000055
【図５５】
0004292283.tif 000056
【図５６】
0004292283.tif 000057
【図５７】
0004292283.tif 000058
【図５８】
0004292283.tif 000059
【図５９】
0004292283.tif 000060
【図６０】
0004292283.tif 000061
【図６１】
0004292283.tif 000062
【図６２】
0004292283.tif 000063
【図６３】
0004292283.tif 000064
【図６４】
0004292283.tif 000065
【図６５】
0004292283.tif 000066
【図６６】
0004292283.tif 000067
【図６７】
0004292283.tif 000068
【図６８】
0004292283.tif 000069
【図６９】
0004292283.tif 000070
【図７０】
0004292283.tif 000071
【図７１】
0004292283.tif 000072
【図７２】
0004292283.tif 000073
【図７３】
0004292283.tif 000074
【図７４】
0004292283.tif 000075
【図７５】
0004292283.tif 000076
【図７６】
0004292283.tif 000077
【図７７】
0004292283.tif 000078
【図７８】
0004292283.tif 000079
【図７９】
0004292283.tif 000080
【図８０】
0004292283.tif 000081
【図８１】
0004292283.tif 000082
【図８２】
0004292283.tif 000083
【図８３】
0004292283.tif 000084
【図８４】
0004292283.tif 000085
【図８５】
0004292283.tif 000086
【図８６】
0004292283.tif 000087
【図８７】
0004292283.tif 000088
【図８８】
0004292283.tif 000089
【図８９】
0004292283.tif 000090
【図９０】
0004292283.tif 000091
【図９１】
0004292283.tif 000092
【図９２】
0004292283.tif 000093
【図９３】
0004292283.tif 000094
【図９４】
0004292283.tif 000095
【図９５】
0004292283.tif 000096
【図９６】
0004292283.tif 000097
【図９７】
0004292283.tif 000098
【図９８】
0004292283.tif 000099
【図９９】
0004292283.tif 000100
【図１００】
0004292283.tif 000101
【図１０１】
0004292283.tif 000102
【図１０２】
0004292283.tif 000103
【図１０３】
0004292283.tif 000104
【図１０４】
0004292283.tif 000105
【図１０５】
0004292283.tif 000106
【図１０６】
0004292283.tif 000107
【図１０７】
0004292283.tif 000108
【図１０８】
0004292283.tif 000109
【図１０９】
0004292283.tif 000110